(57)【要約】      （修正有）【課題】移動通信において能動アンテナシステムに基づきチャネル状態情報を測定するためのチャネル測定方法を提供する。【解決手段】第１のチャネル情報を取得するステップであって、ここで、第１のチャネル情報は、第１のチャネルの第１のチャネル状態情報（ＣＳＩ）、及び第１のチャネルを測定するために使用される第１の測定構成情報のうちの１つ又は複数を含む、ステップ（Ｓ１１０）と、基地局によって送信され、及び第２のチャネルを測定するために使用される、第２の測定構成情報を受信するステップ（Ｓ１２０）と、第１のチャネル情報及び第２の測定構成情報に従って第２のチャネルを測定し、第２のＣＳＩを取得するステップ（Ｓ１３０）とを含む。【選択図】図１
2018113711.tif 000002
【特許請求の範囲】
【請求項１】
チャネル測定方法であって、
端末によって、第１のチャネルの第１のチャネル状態情報（ＣＳＩ）を取得するステップと、
前記端末によって、第２のチャネルを測定するために使用される測定構成情報を基地局から受信するステップと、
前記端末によって、前記第１のＣＳＩと前記第２のチャネルを測定するために使用される前記測定構成情報とに従って前記第２のチャネルを測定して第２のＣＳＩを取得するステップとを含む、方法。
【請求項２】
前記第２のチャネルを測定して第２のＣＳＩを取得する前記ステップが、
前記第１のＣＳＩに従って、前記第２のチャネルを測定するためのＣＳＩ範囲を決定するステップと、
前記第２のチャネルを測定するために使用される前記測定構成情報に従って、前記第２のチャネルを測定するための前記ＣＳＩ範囲内で前記第２のチャネルを測定するステップとを含む、請求項１に記載の方法。
【請求項３】
前記第２のチャネルを測定するための前記ＣＳＩ範囲を決定する前記ステップが、
前記第１のＣＳＩにおける第１のＲＩに従って前記第２のＣＳＩにおける第２のＲＩの範囲を決定するステップを含む、請求項２に記載の方法。
【請求項４】
前記第２のＲＩの前記範囲≦前記第１のＲＩ、又は
前記第２のＲＩの前記範囲＜前記第１のＲＩである、請求項３に記載の方法。
【請求項５】
前記端末によって、前記第１のチャネルを測定するために使用される測定構成情報を受信するステップを更に含み、
前記第１のチャネルの前記第１のＣＳＩを取得する前記ステップが、前記第１のチャネルを測定するために使用される前記測定構成情報に従って前記第１のチャネルを測定して前記第１のチャネルの前記第１のＣＳＩを取得するステップを含む、請求項１から請求項４のいずれか一項に記載の方法。
【請求項６】
前記第１のチャネルが全体的なアンテナに対応するとともに、前記第１のＣＳＩが前記全体的なアンテナのチャネル状態を反映し、
前記第２のチャネルが部分的なアンテナに対応するとともに、前記第２のＣＳＩが前記部分的なアンテナのチャネル状態を反映する、請求項１から請求項５のいずれか一項に記載の方法。
【請求項７】
前記端末によって、第３のチャネルを測定するために使用される測定構成情報を受信するステップと、
前記端末によって、前記第１のＣＳＩ及び第２のＣＳＩのうちの少なくとも１つに従って、及び前記第３の測定構成情報に従って、前記第３のチャネルを測定して第３のＣＳＩを取得するステップと更に含む、請求項１から請求項６のいずれか一項に記載の方法。
【請求項８】
前記端末によって、制限ＣＳＩ測定範囲を使用するかどうかを指示するＣＳＩ測定フラグを報告するステップを更に含む、請求項１から請求項７のいずれか一項に記載の方法。
【請求項９】
端末に適用されるデバイスであって、
第１のチャネルの第１のチャネル状態情報（ＣＳＩ）を取得するための手段と、
第２のチャネルを測定するために使用される測定構成情報を基地局から受信するための手段と、
前記第１のＣＳＩと前記第２のチャネルを測定するために使用される前記測定構成情報とに従って前記第２のチャネルを測定して第２のＣＳＩを取得するための手段とを備える、デバイス。
【請求項１０】
前記第２のチャネルを測定して第２のＣＳＩを前記取得することが、
前記第１のＣＳＩに従って、前記第２のチャネルを測定するためのＣＳＩ範囲を決定することと、
前記第２のチャネルを測定するために使用される前記測定構成情報に従って、前記第２のチャネルを測定するための前記ＣＳＩ範囲内で前記第２のチャネルを測定することとを含む、請求項９に記載のデバイス。
【請求項１１】
前記第２のチャネルを測定するための前記ＣＳＩ範囲を前記決定することが、
前記第１のＣＳＩにおける第１のＲＩに従って前記第２のＣＳＩにおける第２のＲＩの範囲を決定することを含む、請求項１０に記載のデバイス。
【請求項１２】
前記第２のＲＩの前記範囲≦前記第１のＲＩ、又は
前記第２のＲＩの前記範囲＜前記第１のＲＩである、請求項１１に記載のデバイス。
【請求項１３】
前記第１のチャネルを測定するために使用される測定構成情報を受信するための手段を更に備え、
前記第１のチャネルの前記第１のＣＳＩを前記取得することが、前記第１のチャネルを測定するために使用される前記測定構成情報に従って前記第１のチャネルを測定して前記第１のチャネルの前記第１のＣＳＩを取得することを含む、請求項９から請求項１２のいずれか一項に記載のデバイス。
【請求項１４】
前記第１のチャネルが全体的なアンテナに対応するとともに、前記第１のＣＳＩが前記全体的なアンテナのチャネル状態を反映し、
前記第２のチャネルが部分的なアンテナに対応するとともに、前記第２のＣＳＩが前記部分的なアンテナのチャネル状態を反映する、請求項９から請求項１３のいずれか一項に記載のデバイス。
【請求項１５】
第３のチャネルを測定するために使用される測定構成情報を受信するための手段と、
前記第１のＣＳＩ及び第２のＣＳＩのうちの少なくとも１つに従って、及び前記第３の測定構成情報に従って、前記第３のチャネルを測定して第３のＣＳＩを取得するための手段とを更に備える、請求項９から請求項１４のいずれか一項に記載のデバイス。
【請求項１６】
制限ＣＳＩ測定範囲を使用するかどうかを指示するＣＳＩ測定フラグを報告するための手段を更に備える、請求項９から請求項１５のいずれか一項に記載のデバイス。
【請求項１７】
請求項９から請求項１６のいずれか一項に記載のデバイスを備える、端末。
【請求項１８】
チャネル測定方法であって、
基地局によって、第２のチャネルを測定するために使用される測定構成情報を送信するステップと、
前記基地局によって、前記第２のチャネルを測定するために使用される前記測定構成情報に従って端末により報告された前記第２のチャネルの第２のチャネル状態情報（ＣＳＩ）を受信するステップであって、前記第２のＣＳＩが第１のチャネルの第１のＣＳＩに関連付けられている、ステップとを含む、方法。
【請求項１９】
前記第２のＣＳＩが前記第１のＣＳＩに関連付けられていることは、前記第２のＣＳＩにおける第２のＲＩが、前記第１のＣＳＩにおける第１のＲＩに関連付けられていることを含む、請求項１８に記載の方法。
【請求項２０】
前記第２のＣＳＩにおける第２のＲＩが前記第１のＣＳＩにおける第１のＲＩに関連付けられていることは、前記第２のＲＩ≦前記第１のＲＩ、又は前記第２のＲＩ＜前記第１のＲＩ、であることを含む、請求項１９に記載の方法。
【請求項２１】
前記基地局によって、前記第１のチャネルを測定するために使用される測定構成情報を送信するステップであって、前記第１のチャネルの前記第１のＣＳＩが、前記第１のチャネルを測定するために使用される前記測定構成情報に従って前記第１のチャネルを測定することにより取得される、ステップを更に含む、請求項１８から請求項２０のいずれか一項に記載の方法。
【請求項２２】
前記第１のチャネルが全体的なアンテナに対応するとともに、前記第１のＣＳＩが前記全体的なアンテナのチャネル状態を反映し、
前記第２のチャネルが部分的なアンテナに対応するとともに、前記第２のＣＳＩが前記部分的なアンテナのチャネル状態を反映する、請求項１８から請求項２１のいずれか一項に記載の方法。
【請求項２３】
基地局であって、
第２のチャネルを測定するために使用される測定構成情報を送信するための手段と、
前記第２のチャネルを測定するために使用される前記測定構成情報に従って端末により報告された前記第２のチャネルの第２のチャネル状態情報（ＣＳＩ）を受信するための手段であって、前記第２のＣＳＩが第１のチャネルの第１のＣＳＩに関連付けられている、手段とを備える、基地局。
【請求項２４】
前記第２のＣＳＩが第１のチャネル情報に関連付けられていることは、前記第２のＣＳＩにおける第２のＲＩが、前記第１のＣＳＩにおける第１のＲＩに関連付けられていることを含む、請求項２３に記載の基地局。
【請求項２５】
前記第２のＣＳＩにおける第２のＲＩが前記第１のＣＳＩにおける第１のＲＩに関連付けられていることは、前記第２のＲＩ≦前記第１のＲＩ、又は前記第２のＲＩ＜前記第１のＲＩ、であることを含む、請求項２４に記載の基地局。
【請求項２６】
前記第１のチャネルを測定するために使用される測定構成情報を送信するための手段であって、前記第１のチャネルの前記第１のＣＳＩが、前記第１のチャネルを測定するために使用される前記測定構成情報に従って前記第１のチャネルを測定することにより取得される、手段を更に備える、請求項２３から請求項２５のいずれか一項に記載の基地局。
【請求項２７】
前記第１のチャネルが全体的なアンテナに対応するとともに、前記第１のＣＳＩが前記全体的なアンテナのチャネル状態を反映し、
前記第２のチャネルが部分的なアンテナに対応するとともに、前記第２のＣＳＩが前記部分的なアンテナのチャネル状態を反映する、請求項２３から請求項２６のいずれか一項に記載の基地局。
【請求項２８】
請求項１から請求項８のいずれか一項に記載の方法、又は請求項１８から請求項２２のいずれか一項に記載の方法を実行するように構成された、プログラム。
【請求項２９】
請求項２８に記載のプログラムを含む、コンピュータ読み取り可能な記憶媒体。
【発明の詳細な説明】
【技術分野】
【０００１】
本発明の実施形態は、移動通信技術の分野に関するものであり、並びに特に、チャネル測定方法、端末デバイス、及び基地局に関するものである。
【背景技術】
【０００２】
移動通信技術の分野において、基地局の送信端におけるビームは、水平次元において調整されることが多く、及びダウンチルト角は、垂直次元において各端末について固定される。したがって、様々なビームフォーミング及びプリコーディング技術は、水平次元におけるチャネル情報にすべて基づく。チャネルは、３次元（３Ｄ）であるので、システムの最適なスループットは、多くの場合に、固定されたダウンチルト角の方法を用いて達成され得ない。したがって、垂直次元におけるビーム調整は、システム性能の改善にとって非常に重要である。その技術的な概念は主に、能動アンテナ端における３Ｄビームフォーミング加重値が、端末によって推定された３Ｄチャネル情報に従って調整され、これにより、ビームの主ローブが、３Ｄ空間内のターゲット端末に「位置合わせされ」、それにより、受信される信号電力を大幅に改善し、及び信号対干渉雑音比を改善し、それによってシステム全体のスループットを改善することである。
【０００３】
３Ｄビームフォーミング技術は、現在、能動アンテナシステム（ａｃｔｉｖｅ  ａｎｔｅｎｎａ  ｓｙｓｔｅｍ，ＡＡＳ）に基づいており、及び従来のアンテナ（たとえば、２Ｄアンテナアレイ）と比較して、能動アンテナは、垂直方向の自由度をさらに提供する。したがって、システム能力が改善され得る。
【０００４】
現在、チャネル状態情報（ｃｈａｎｎｅｌ  ｓｔａｔｅ  ｉｎｆｏｒｍａｔｉｏｎ，ＣＳＩ）に対する測定メカニズムは、従来のアンテナに対してもっぱら特有のものであり、及び測定メカニズムがＡＡＳアンテナに適用されるときには、測定精度を確保することはほとんどできない。
【発明の概要】
【０００５】
この点を鑑みて、本発明の実施形態は、能動アンテナシステムに基づきチャネル状態情報を測定するためのチャネル測定方法を提供する。
【０００６】
第１の態様によれば、本発明は、チャネル測定方法であって、
第１のチャネル情報を端末によって取得するステップであって、ここで、第１のチャネル情報は、下記の情報、すなわち、第１のチャネルの第１のチャネル状態情報（ＣＳＩ）、及び第１のチャネルを測定するために使用される第１の測定構成情報のうちの１つ又は複数を含む、ステップと、
基地局によって送信され、及び第２のチャネルを測定するために使用される、第２の測定構成情報を端末によって受信するステップと、
第１のチャネル情報及び第２の測定構成情報に従って第２のチャネルを端末によって測定し、第２のＣＳＩを取得するステップとを含むチャネル測定方法を提供する。
【０００７】
第２の態様によれば、本発明は、チャネル測定方法であって、
第２のＣＳＩを基地局によって取得するステップであって、ここで、第２のＣＳＩは、第１のチャネル情報に関連付けられ、並びに第１のチャネル情報は、下記の情報、すなわち、第１のチャネルの報告される第１のチャネル状態情報（ＣＳＩ）、基地局によって構成される第１のチャネルの第１のチャネル状態情報（ＣＳＩ）、及び第１のチャネルを測定するために使用される第１の測定構成情報のうちの１つ又は複数を含む、ステップを含むチャネル測定方法を提供する。
【０００８】
第３の態様によれば、本発明は、端末デバイスであって、
第１のチャネル情報を取得するように構成された、チャネル情報取得ユニットであって、ここで、第１のチャネル情報は、下記の情報、すなわち、第１のチャネルの第１のチャネル状態情報（ＣＳＩ）、及び第１のチャネルを測定するために使用される第１の測定構成情報のうちの１つ又は複数を含む、チャネル情報取得ユニットと、
基地局によって送信され、及び第２のチャネルを測定するために使用される、第２の測定構成情報を受信するように構成された構成情報受信ユニットと、
第１のチャネル情報及び第２の測定構成情報に従って第２のチャネルを測定し、第２のＣＳＩを取得するように構成されたチャネル測定ユニットとを備える端末デバイスを提供する。
【０００９】
第４の態様によれば、本発明は、基地局であって、
第２のＣＳＩを取得するように構成された、第２のＣＳＩ取得ユニットであって、ここで、第２のＣＳＩは、第１のチャネル情報に関連付けられ、並びに第１のチャネル情報は、下記の情報、すなわち、第１のチャネルの報告される第１のチャネル状態情報（ＣＳＩ）、基地局によって構成される第１のチャネルの第１のチャネル状態情報（ＣＳＩ）、及び第１のチャネルを測定するために使用される第１の測定構成情報のうちの１つ又は複数を含む、第２のＣＳＩ取得ユニットを備える基地局を提供する。
【００１０】
上記の解決方法を用いて、全体的なアンテナのＣＳＩ−ＲＳ  ｐａｔｔｅｒｎ及び部分的なアンテナのＣＳＩ  ｐａｔｔｅｒｎのサブセットが構成され得、並びに全体的なチャネルの品質情報及び部分的なチャネルの品質情報へのフィードバックが組み合わされ得、これにより、シグナリングが低減されるだけでなく、フィードバック精度も改善され得る。
【００１１】
本発明の実施形態又は従来技術における技術的解決方法をより明確に説明するために、次に、実施形態又は従来技術を説明するために必要な添付図面について簡単に説明する。明らかに、下記の説明の添付図面は、本発明のいくつかの実施形態を示しており、及び当業者であれば、創造的労力を費やすことなく、依然としてこれらの添付図面から他の図面を導き出し得る。
【図面の簡単な説明】
【００１２】
【図１】本発明の一実施形態によるチャネル測定方法の流れ図である。
【図２】本発明の一実施形態による別のチャネル測定方法の流れ図である。
【図３】図２におけるステップＳ２３０の具体的な流れ図である。
【図４】本発明の一実施形態による別のチャネル測定方法の流れ図である。
【図５】本発明の一実施形態によるチャネル測定方法における測定パイロットの概略図である。
【図６】本発明の一実施形態による方法におけるチャネル情報の第１のグループ内の報告されるコンテンツの時間系列関係の線図である。
【図７】本発明の一実施形態による方法におけるチャネル情報の第１のグループ内の報告されるコンテンツの別の時間系列関係の線図である。
【図８】本発明の一実施形態による方法におけるチャネル情報の第１のグループ内の報告されるコンテンツのさらに別の時間系列関係の線図である。
【図９】本発明の一実施形態による方法におけるチャネル情報の第１のグループ内の報告されるコンテンツのさらに別の時間系列関係の線図である。
【図１０】本発明の一実施形態による方法におけるチャネル情報の第１のグループ内の報告されるコンテンツのさらに別の時間系列関係の線図である。
【図１１】本発明の一実施形態による方法におけるチャネル情報の第１のグループ内の報告されるコンテンツのさらに別の時間系列関係の線図である。
【図１２】本発明の一実施形態による方法におけるチャネル情報の第３のグループ内の報告されるコンテンツの時間系列関係の線図である。
【図１３】本発明の一実施形態による方法におけるチャネル情報の第３のグループ内の報告されるコンテンツの別の時間系列関係の線図である。
【図１４】本発明の一実施形態による方法におけるチャネル情報の第３のグループ内の報告されるコンテンツのさらに別の時間系列関係の線図である。
【図１５】本発明の一実施形態による方法におけるチャネル情報の第３のグループ内の報告されるコンテンツのさらに別の時間系列関係の線図である。
【図１６】本発明の一実施形態による方法におけるチャネル情報の第３のグループ内の報告されるコンテンツのさらに別の時間系列関係の線図である。
【図１７】本発明の一実施形態による報告されるコンテンツの時間系列関係の線図である。
【図１８】本発明の一実施形態による報告されるコンテンツの時間系列関係の別の線図である。
【図１９】本発明の一実施形態による報告されるコンテンツの時間系列関係のさらに別の線図である。
【図２０】本発明の一実施形態による報告されるコンテンツの時間系列関係のさらに別の線図である。
【図２１】本発明の一実施形態による報告されるコンテンツの時間系列関係のさらに別の線図である。
【図２２】本発明の一実施形態による端末デバイスの概略構造図である。
【図２３】図２２における端末デバイス内のチャネル測定ユニットの概略構造図である。
【図２４】図２２における端末デバイス内のチャネル測定ユニットの別の概略構造図である。
【図２５】図２２における端末デバイス内のチャネル測定ユニットのさらに別の概略構造図である。
【図２６】本発明の一実施形態による別の端末デバイスの概略構造図である。
【発明を実施するための形態】
【００１３】
従来技術では、２Ｄアンテナアレイ及びＡＳＳアンテナに対するチャネル測定及び報告メカニズムは、測定を実行すること、及び水平次元及び垂直次元において別々に報告することであり、次いで、アンテナアレイのＣＳＩは、基地局側での組合せを通じて得られ、ＣＳＩは、チャネル品質情報とも称され得る。しかしながら、水平次元及び垂直次元における測定は、部分的なアンテナアレイの情報のみを反映することができ、したがって、得られるＣＳＩは最も包括的なものではなく、及び損失があり、その結果、精度が下がる。
【００１４】
下記の実施形態では、ある１つの次元又はいくつかの次元（たとえば、垂直次元及び水平次元）におけるチャネル測定は、損失を低減するために、全体的なアンテナを反映し得るチャネル測定に関連付けられ、それによって、測定精度を改善することができる。
【００１５】
本発明の一実施形態によるチャネル測定方法の流れ図である、図１を参照されたい。基地局では、下記の第２のチャネルに関する測定に対応する、端末に対する第２のＣＳＩプロセスを、端末が第２のチャネルを測定するように構成する。図１に示されているように、この方法は、端末によって実行され、及び下記のステップを含む。
【００１６】
Ｓ１１０：第１のチャネル情報を取得し、ここで、第１のチャネル情報は、下記の情報、すなわち、第１のチャネルを測定することによって得られた第１のＣＳＩ、及び第１のチャネルを測定するために使用される第１の測定構成情報のうちの１つ又は複数を含む。
【００１７】
Ｓ１２０：基地局によって送信され、及び第２のチャネルを測定するために使用される、第２の測定構成情報を受信する。
【００１８】
Ｓ１３０：第２の測定構成情報及び第１のチャネル情報に従って第２のチャネルを測定し、第２のＣＳＩを取得する。
【００１９】
ステップＳ１１０及びステップＳ１２０の順序は、必要でなく、並びに第１のＣＳＩは、基地局によって構成される情報であるか、又は第１の測定構成情報に従って端末によって測定され、及び基地局に報告される情報であることに留意されたい。
【００２０】
ステップＳ１３０は、
第１のチャネル情報に従って、第２のチャネルを測定するためのＣＳＩ範囲を決定するステップを具体的に含み、これは、第１のチャネル情報の第１のＣＳＩに従って、第２のチャネルを測定することによって得られる第２のＣＳＩの範囲を具体的に決定するステップである。第１のＣＳＩは、基地局によって構成される情報であるか、又は第１の測定構成情報に従って端末によって測定され、及び報告される情報である。
【００２１】
第１のチャネルに関する測定は、全体的なアンテナに対応しており、及び全体的なアンテナのチャネル状態を反映するＣＳＩを取得するために使用され、並びに第２のチャネルに関する測定は、部分的なアンテナ、たとえば、ある１つの次元（垂直次元、水平次元、又は同様のもの）内のアンテナに対応し、及び部分的なアンテナのチャネル状態を反映するＣＳＩを取得するために使用される。
【００２２】
この実施形態では、部分的なアンテナを反映するチャネル測定を実行する（第２のチャネルを測定する）ときに、端末は、部分的なアンテナを反映するチャネル測定を、全体的なアンテナを反映するチャネル測定に関連付けて、損失を低減し、測定精度を改善する。
【００２３】
上記の、及び下記のＣＳＩは、下記の情報、すなわち、ランク指示（ｒａｎｋ  ｉｎｄｉｃａｔｉｏｎ，ＲＩ）、プリコーディング行列インジケータ（ｐｒｅｃｏｄｉｎｇ  ｍａｔｒｉｘ  ｉｎｄｉｃａｔｏｒ，ＰＭＩ）、プリコーディングタイプインジケータ（ｐｒｅｃｏｄｉｎｇ  ｔｙｐｅ  ｉｎｄｉｃａｔｏｒ，ＰＴＩ）、チャネル品質インジケータ（ｃｈａｎｎｅｌ  ｑｕａｌｉｔｙ  ｉｎｄｉｃａｔｏｒ，ＣＱＩ）、干渉指示（ｉｎｔｅｒｆｅｒｅｎｃｅ  ｉｎｄｉｃａｔｉｏｎ）、及びＣＳＩ測定範囲を制限するための制限測定フラグ（ｒｅｓｔｒｉｃｔｉｖｅ  ｍｅａｓｕｒｅｍｅｎｔ  ｆｌａｇ）（ｆｌａｇ）のうちの１つ又は複数を含み得る。
【００２４】
各測定構成情報は、下記の情報、すなわち、チャネル測定基準パイロット（ｃｈａｎｎｅｌ  ｍｅａｓｕｒｅｍｅｎｔ  ｒｅｆｅｒｅｎｃｅ  ｐｉｌｏｔ）のパターン、チャネル測定基準パイロットのポート量、チャネル測定基準パイロットの電力情報、干渉測定基準リソース（ｉｎｔｅｒｆｅｒｅｎｃｅ  ｍｅａｓｕｒｅｍｅｎｔ  ｒｅｆｅｒｅｎｃｅ  ｒｅｓｏｕｒｃｅ）のパターン、及び干渉測定基準リソースに関する情報のうちの１つ又は複数を含む。
【００２５】
図１に示されている方法を詳細に説明するために、ＣＳＩがＲＩを含む一例が、図２を参照しつつ下記で使用される。図２に示されているように、この方法は、端末によって実行され、及び下記のステップを含む。
【００２６】
Ｓ２１０：第１のチャネルを測定することによって得られた第１のＲＩを取得する。
【００２７】
Ｓ２２０：基地局によって送信され、及び第２のチャネルを測定するために使用される、第２の測定構成情報を受信する。
【００２８】
Ｓ２３０：第１のＲＩ及び第２の測定構成情報に従って第２のチャネルを測定し、第２のＲＩを取得する。
【００２９】
さらに、図３を参照すると、ステップＳ２３０は、下記のステップを含み得る。
【００３０】
Ｓ２３１：第１のチャネル情報に従って、第２のチャネルを測定するための範囲を決定し、ここで、第２のチャネルを測定するための範囲は、第１のＲＩ以下であり、これは、第１のＲＩに従って第２のＲＩの範囲を具体的に決定する。
【００３１】
Ｓ２３２：第２の測定構成情報に従って、第２のチャネルを測定するための範囲内で第２のチャネルを測定し、第２のＲＩを取得する。
【００３２】
すなわち、第１のＲＩと第２のＲＩとの間に関数関係がある。第１のＲＩがＲＩ（１）であること、及び第２のＲＩがＲＩ（２）であることを仮定すると、関数関係はＲＩ（２）≦ＲＩ（１）である。
【００３３】
図４を参照すると、基地局は、端末に対する２つのＣＳＩプロセス（第２のＣＳＩプロセス及び第３のＣＳＩプロセス）を構成し、これらのプロセスは、第２のチャネルに関する測定及び下記の第３のチャネルに関する測定にそれぞれ対応し、並びに水平次元及び垂直次元などの２つの次元におけるアンテナにそれぞれ対応する。第２のチャネルに関する測定が、水平次元におけるアンテナに対応する場合、第３のチャネルに関する測定は、垂直次元におけるアンテナに対応するか、又は第３のチャネルに関する測定が、水平次元におけるアンテナに対応する場合、第２のチャネルに関する測定は、垂直次元におけるアンテナに対応する。図４に示されているように、この方法は、端末によって実行され、及び、図１に示されているステップＳ１１０からステップＳ１３０を含むことに加えて下記のステップをさらに含む。
【００３４】
Ｓ４１０：端末は、第３のチャネルを測定するために使用される第３の測定構成情報を受信する。
【００３５】
Ｓ４２０：端末は、第１のチャネル情報及び第２のチャネル情報のうちの少なくとも１つに従って、及び第３の測定構成情報に従って、第３のチャネルを測定し、第３のＣＳＩを取得する。第２のチャネル情報は、第２のチャネルを測定することによって得られた第２のＣＳＩ、又は上位層を通じて具体的に構成されるか、若しくは動的に構成される、基地局によって構成された構成済みＣＳＩを含む。
【００３６】
ステップＳ４２０は、
第１のチャネル情報及び第２のチャネル情報のうちの少なくとも１つに従って、第３のチャネルを測定するためのＣＳＩ範囲を決定するステップを具体的に含む。具体的に、第３のチャネルを測定するためのＣＳＩ範囲は、第１のＣＳＩ及び第２のＣＳＩのうちの少なくとも１つに従って決定されるか、又は第３のチャネルを測定するためのＣＳＩ範囲は、第１のＣＳＩ及び第２のチャネル情報内の構成済みＣＳＩのうちの少なくとも１つに従って決定される。
【００３７】
第３のチャネルは、第３のチャネルを測定するためのＣＳＩ範囲内で、第３の測定構成情報に従って、測定される。
【００３８】
ＣＳＩがＲＩを含む一例を使用すると、図４のステップＳ４２０は、下記のステップをさらに含む。
【００３９】
Ｓ４２１：第１のＣＳＩにおける第１のＲＩ及び第２のＣＳＩにおける第２のＲＩのうちの少なくとも１つに従って第３のＣＳＩにおける第３のＲＩの範囲を決定するか、又は
Ｓ４２２：第１のＣＳＩにおける第１のＲＩ及び構成済みＣＳＩにおける構成済みＲＩのうちの少なくとも１つに従って第３のＣＳＩにおける第３のＲＩの範囲を決定する。第３のＲＩの範囲を決定する方式は固定されるか、又は基地局の上位層シグナリング若しくは動的シグナリングを使用することによって通知される。
【００４０】
第３のＲＩがＲＩ（３）であること、第１のＲＩがＲＩ（１）であること、及び第２のＲＩがＲＩ（２）であることを仮定すると、ＲＩ（３）とＲＩ（１）及び／又はＲＩ（２）との間に関数関係がある。この場合、第３のチャネルを測定するための範囲は、下記のいくつかの場合を含み得る。
ＲＩ（３）≦ＲＩ（１）、若しくはＲＩ（３）＜ＲＩ（１）、又は
ＲＩ（１）とＲＩ（２）の商を丸めることによって得られる値≦ＲＩ（３）≦ＲＩ（１）、又はＲＩ（１）とＲＩ（２）の商を丸めることによって得られる値＜ＲＩ（３）≦ＲＩ（１）、又はＲＩ（１）とＲＩ（２）の商を丸めることによって得られる値≦ＲＩ（３）＜ＲＩ（１）、又はＲＩ（１）とＲＩ（２）の商を丸めることによって得られる値＜ＲＩ（３）＜ＲＩ（１）、ここで、丸めることは切り上げ若しくは切り捨てである、又は
ＲＩ（１）と第２のチャネル情報における構成済みＲＩの商を丸めることによって得られる値≦ＲＩ（３）≦ＲＩ（１）、又はＲＩ（１）と第２のチャネル情報における構成済みＲＩの商を丸めることによって得られる値＜ＲＩ（３）≦ＲＩ（１）、又はＲＩ（１）と第２のチャネル情報における構成済みＲＩの商を丸めることによって得られる値≦ＲＩ（３）＜ＲＩ（１）、又はＲＩ（１）と第２のチャネル情報における構成済みＲＩの商を丸めることによって得られる値＜ＲＩ（３）＜ＲＩ（１）、ここで、丸めることは切り上げ若しくは切り捨てである、又は
ＲＩ（３）≦ＲＩ（１）とＲＩ（２）の商を丸めることによって得られる値、又はＲＩ（３）＜ＲＩ（１）とＲＩ（２）の商を丸めることによって得られる値、ここで、丸めることは切り上げ若しくは切り捨てである、又は
ＲＩ（３）≦ＲＩ（１）と第２のチャネル情報における構成済みＲＩの商を丸めることによって得られる値、又はＲＩ（３）＜ＲＩ（１）と第２のチャネル情報における構成済みＲＩの商を丸めることによって得られる値、ここで、丸めることは切り上げ若しくは切り捨てである、又は
ＲＩ（３）＝ＲＩ（１）とＲＩ（２）の商を丸めることによって得られる値、ここで、丸めることは切り上げ若しくは切り捨てである、又は
ＲＩ（３）＝ＲＩ（１）と第２のチャネル情報における構成済みＲＩの商を丸めることによって得られる値、ここで、丸めることは切り上げ若しくは切り捨てであってよい。
【００４１】
それに加えて、第３のＣＳＩは、第３のＣＳＩにおけるＰＭＩ及び第３のＣＳＩにおけるＣＱＩをさらに含むものとしてよく、したがって、ステップＳ４２０、すなわち、端末が第３のチャネルを測定するステップは、
第３のＣＳＩにおけるＰＭＩを決定するステップであって、ここで、第３のＣＳＩにおけるＰＭＩは、第３のＰＭＩ又は第４のＰＭＩを含む、ステップをさらに含むものとしてよく、及び第３のＣＳＩにおけるＰＭＩを決定するステップは、
第３の測定構成情報及び第３のＲＩに従って第３のＰＭＩを決定するステップであって、ここで、第３のＰＭＩのポート量は、第３の測定構成情報におけるパイロットのポート量であり、及び第３のＰＭＩのＲＩは、第３のＲＩである、ステップ、又は
第１のチャネル情報に従って第４のＰＭＩを決定するステップであって、ここで、第４のＰＭＩのポート量は、第１の測定構成情報におけるパイロットのポート量であり、及び第４のＰＭＩのＲＩは、第１のＲＩである、ステップ、又は
第１のチャネル情報及び第２のチャネル情報に従って第４のＰＭＩを決定するステップであって、ここで、第４のＰＭＩのポート量は、第１の測定構成情報におけるパイロットのポート量であり、及び第４のＰＭＩのＲＩは、第２のＲＩである、ステップ、又は
第１のチャネル情報及び第３のチャネル情報に従って第４のＰＭＩを決定するステップであって、ここで、第４のＰＭＩのポート量は、第１の測定構成情報におけるパイロットのポート量であり、及び第４のＰＭＩのＲＩは、第３のＲＩである、ステップ、又は
第２のチャネル情報及び第３のチャネル情報に従って第４のＰＭＩを決定するステップであって、ここで、第４のＰＭＩのポート量は、第２の測定構成情報におけるパイロットのポート量と第３の測定構成情報におけるパイロットのポート量との積であり、及び第４のＰＭＩのＲＩは、第２のＲＩと第３のＲＩとの積であるか、又はｍｉｎ（第１のＲＩ、第２のＲＩと第３のＲＩとの積）である、ステップ、又は
第１のチャネル情報、第２のチャネル情報、及び第３のチャネル情報に従って第４のＰＭＩを決定するステップであって、ここで、第４のＰＭＩのポート量は、第１の測定構成情報におけるパイロットのポート量であり、及び第４のＰＭＩのＲＩは、第２のＲＩと第３のＲＩとの積であるか、又はｍｉｎ（第１のＲＩ、第２のＲＩと第３のＲＩとの積）であり、ここで、ｍｉｎは、最小値を求める演算である、ステップを具体的に含み得る。
【００４２】
第４のＰＭＩに対応するプリコーディング行列は、第２のＰＭＩに対応するプリコーディング行列と第３のＰＭＩに対応するプリコーディング行列とのクロネッカー積であるか、又は第４のＰＭＩに対応するプリコーディング行列は、第２のＰＭＩに対応するプリコーディング行列と第３のＰＭＩに対応するプリコーディング行列とのクロネッカー積に対して列選択を実行することによって得られる行列であるか、又は第４のＰＭＩに対応するプリコーディング行列は、第２のＰＭＩに対応するプリコーディング行列と第３のＰＭＩに対応するプリコーディング行列とのクロネッカー積内のＸ個の列であるか、又は第４のＰＭＩに対応するプリコーディング行列は、第３のＰＭＩに対応するプリコーディング行列と第２のＰＭＩに対応するプリコーディング行列とのクロネッカー積内のＸ個の列である。Ｘは、上位層シグナリング又は動的シグナリングを使用することによって端末に対して基地局によって構成され、Ｘ個の列は、連続又は不連続の列であってよく、及びＸは、ｍｉｎ（第１のＲＩ、第２のＲＩと第３のＲＩとの積）である。
【００４３】
第３のＣＳＩにおけるＣＱＩは、第３のＣＱＩ及び第４のＣＱＩを含み、第３のチャネルを端末によって測定するステップは、第３のＰＭＩに従って第３のＣＱＩを決定するステップ、又は第４のＰＭＩに従って第４のＣＱＩを決定するステップをさらに含む。
【００４４】
この実施形態において、第１の測定構成情報における第１のチャネル測定基準パイロットのパターン、第２の測定構成情報における第２のチャネル測定基準パイロットのパターン、及び第３の測定構成情報における第３のチャネル測定基準パイロットのパターンは、
第２のチャネル測定基準パイロットのパターンが、第１のチャネル測定基準パイロットのパターンのサブセットであるということと、
第３のチャネル測定基準パイロットのパターンが、第１のチャネル測定基準パイロットのパターンのサブセットであるということとを満たす。
【００４５】
第１の測定構成情報における第１のチャネル測定基準パイロットのポート、第２の測定構成情報における第２のチャネル測定基準パイロットのポート、及び第３の測定構成情報における第３のチャネル測定基準パイロットのポートは、
第１のチャネル測定基準パイロットのポート量が、第２のチャネル測定基準パイロットのポート量と第３のチャネル測定基準パイロットのポート量との積であるということを満たす。
【００４６】
第２のチャネル測定基準パイロットのポート量は、第３のチャネル測定基準パイロットのポート量以上である。
【００４７】
第２のチャネル情報におけるｒａｎｋは、第３のチャネル情報におけるｒａｎｋ以上である。
【００４８】
第１のチャネル測定基準パイロットの送信周期は、第２のチャネル測定基準パイロットの送信周期の整数倍であり、及び第１のチャネル測定基準パイロットの送信周期は、第３のチャネル測定基準パイロットの送信周期の整数倍である。
【００４９】
この実施形態において、第１のチャネル測定情報が、第１のＣＳＩを含むときに、第１のＣＳＩは、第１のＣＳＩプロセスを基地局によって構成するステップと、基地局によって構成された第１の測定構成情報に従って第１のチャネルを端末によって測定するステップとによって得られるものとしてよい。基地局は、第１のＣＳＩプロセスを構成しなくても良く、及び第１のＣＳＩは、アップリンク信号を基地局によって測定するステップによって得られ、端末に送信され得る。基地局は、全体的なアンテナに基づきアップリンク信号を測定するので、チャネル測定精度も改善され得る。
【００５０】
第１のチャネル情報を端末によって取得するステップは、
基地局によって送信された第１の測定構成情報を端末によって受信するステップと、
第１の測定構成情報に従って第１のチャネルを測定し、第１のＣＳＩを取得するステップとを含む。
【００５１】
第１のチャネルに関する測定は、
第１の測定構成情報及び第１のＲＩに従って第１のＰＭＩを決定するステップであって、ここで、第１のＰＭＩのポート量は、第１の測定構成情報におけるパイロットのポート量であり、及び第１のＰＭＩのＲＩは、第１のＲＩである、ステップ、又は
第１のＰＭＩに対応するプリコーディング行列Ｗ（１）がデュアルコードブック構造である、すなわち、Ｗ（１）＝Ｗ１（１）×Ｗ２（１）であるときに、第１のサブＰＭＩを決定するステップであって、ここで、第１のサブＰＭＩに対応するプリコーディング行列はＷ１（１）である、ステップ、又は
第２の測定構成情報における測定パイロットに従って第２のＰＭＩを決定するステップであって、ここで、第２のＰＭＩに対応するプリコーディング行列のポート量は、第２の測定構成情報におけるパイロットのポート量であり、及び第２のＰＭＩのＲＩは、第２のＲＩである、ステップ、又は
第３の測定構成情報における測定パイロットに従って第３のＰＭＩを決定するステップであって、ここで、第３のＰＭＩに対応するプリコーディング行列のポート量は、第３の測定構成情報におけるパイロットのポート量であり、及び第３のＰＭＩのＲＩは、第３のＲＩである、ステップ、又は
第２の測定パイロットに対応するポートの配置が第１の測定構成情報における測定パイロットにおいて指示され、及び第２の測定パイロットに対応するポートに従って、ロングタームワイドバンド（long-term  wideband）のＷ１（２）に対応するプリコーディングインジケータ情報、第２のサブＰＭＩを決定するステップであって、ここで、第２のプリコーディング行列はＷ（２）＝Ｗ１（２）×Ｗ２（２）である、ステップ、又は
第３の測定パイロットに対応するポートの配置が第１の測定構成情報における測定パイロットにおいて指示され、及び第３の測定パイロットに対応するポートに従って、ロングタームワイドバンドのＷ１（３）に対応するプリコーディングインジケータ情報、第３のサブＰＭＩを決定するステップであって、ここで、第３のプリコーディング行列はＷ（３）＝Ｗ１（３）×Ｗ２（３）である、ステップを含む。
【００５２】
第１のＣＱＩは、第１の測定構成情報に従って送信ダイバーシティ方式で決定されるか、又は
第１のＣＱＩは、第１の測定構成情報に従って開ループ空間多重化方式で決定されるか、又は
第１のＣＱＩは、第１の測定構成情報に従って第１のＰＭＩを使用することによって決定されるか、又は
第１のＣＱＩは、第１の測定構成情報に従って第１のＰＭＩを固定ＲＩとともに使用することによって決定されるか、又は
第１のＣＱＩは、第１のＰＭＩに従って決定されるか、又は
第１のＣＱＩは、第１のサブＰＭＩに従って決定されるか、又は
第２のＣＱＩは、第２のＰＭＩに従って決定されるか、又は
第２のＣＱＩは、第２のサブＰＭＩに従って決定されるか、又は
第３のＣＱＩは、第３のＰＭＩに従って決定されるか、又は
第３のＣＱＩは、第３のサブＰＭＩに従って決定される。
【００５３】
デュアルコードブック構造のＷ＝Ｗ１×Ｗ２であり、これは下記のとおりである。
【００５４】
【数１】
2018113711.tif 000003
Ｗ１は、ブロック対角行列であり、及びブロック対角行列Ｗ１は、共偏波アンテナ間の空間特徴の変化に関してマッチングを実行するために使用される。Ｗ２は、Ｗ１に対する異偏波アンテナに関する相選択及びＷ１に関する列選択を実行するためにもっぱら使用される。
【００５５】
チャネル情報を測定した後に、端末は、測定されたチャネル情報を基地局にさらに報告し、このことは、
第１のチャネルの第１のＣＳＩを報告するステップを具体的に含み、ここで、第１のＣＳＩは、
第１のＲＩ、又は
第１のＲＩ及び第１のＣＱＩ、又は
第１のＲＩ及び第１のＰＭＩ、又は
第１のＲＩ、第１のＰＭＩ、及び第１のＣＱＩ、又は
第１のＲＩ及び第１のサブＰＭＩ、又は
第１のＲＩ、第１のサブＰＭＩ、及び第１のＣＱＩ、又は
第１のＲＩ及び第２のＰＭＩ、又は
第１のＲＩ、第２のＰＭＩ、及び第２のＣＱＩ、又は
第１のＲＩ及び第３のＰＭＩ、又は
第１のＲＩ、第３のＰＭＩ、及び第３のＣＱＩ、又は
第１のＲＩ及び第２のサブＰＭＩ、又は
第１のＲＩ、第２のサブＰＭＩ、及び第２のＣＱＩ、又は
第１のＲＩ及び第３のサブＰＭＩ、又は
第１のＲＩ、第３のサブＰＭＩ、及び第３のＣＱＩを含む。
【００５６】
方法は、第３のチャネルの第３のＣＳＩを報告するステップをさらに含み、ここで、第３のＣＳＩは、
第３のＲＩ、第３のＰＭＩ、及び第３のＣＱＩ、又は
第３のＲＩ、第３のＰＭＩ、及び第３のＣＱＩと第１のＣＱＩとの差、又は
第３のＲＩ、第３のＰＭＩ、及び第３のＣＱＩと第２のＣＱＩとの差、又は
第３のＲＩ、第３のＰＭＩ、第３のＣＱＩ、及び第４のＣＱＩ、又は
第３のＲＩ、第３のＰＭＩ、第３のＣＱＩ、及び第４のＣＱＩと第１のＣＱＩとの差、又は
第３のＲＩ、第３のＰＭＩ、第３のＣＱＩ、及び第４のＣＱＩと第３のＣＱＩとの差、又は
第３のＲＩ、第３のＰＭＩ、及び第４のＣＱＩ、又は
第３のＲＩ、第３のＰＭＩ、及び第４のＣＱＩと第１のＣＱＩとの差、又は
第３のＲＩ、第３のＰＭＩ、及び第４のＣＱＩと第２のＣＱＩとの差、又は
第３のＲＩ、第３のＰＭＩ、及び第４のＣＱＩと第３のＣＱＩとの差、又は
第３のＲＩ、第３のＰＭＩ、第４のＰＭＩ、第３のＣＱＩ、及び第４のＣＱＩ、又は
第３のＲＩ、第３のＰＭＩ、第４のＰＭＩ、第３のＣＱＩ、及び第４のＣＱＩと第１のＣＱＩとの差、又は
第３のＲＩ、第３のＰＭＩ、第４のＰＭＩ、第３のＣＱＩ、及び第４のＣＱＩと第２のＣＱＩとの差、又は
第３のＲＩ、第３のＰＭＩ、第４のＰＭＩ、第３のＣＱＩ、及び第４のＣＱＩと第３のＣＱＩとの差、又は
第３のＲＩ、第３のＰＭＩ、第４のＰＭＩ、及び第４のＣＱＩ、又は
第３のＲＩ、第３のＰＭＩ、第４のＰＭＩ、及び第４のＣＱＩと第１のＣＱＩとの差、又は
第３のＲＩ、第３のＰＭＩ、第４のＰＭＩ、及び第４のＣＱＩと第２のＣＱＩとの差、又は
第３のＲＩ、第３のＰＭＩ、第４のＰＭＩ、及び第４のＣＱＩと第３のＣＱＩとの差、又は
第３のＰＭＩ及び第３のＣＱＩ、又は
第３のＰＭＩ及び第３のＣＱＩと第１のＣＱＩとの差、又は
第３のＰＭＩ及び第３のＣＱＩと第２のＣＱＩとの差、又は
第３のＲＩ、第３のＰＭＩ、第３のＣＱＩ、及び第４のＣＱＩ、又は
第３のＰＭＩ、第３のＣＱＩ、及び第４のＣＱＩと第１のＣＱＩとの差、又は
第３のＰＭＩ、第３のＣＱＩ、及び第４のＣＱＩと第３のＣＱＩとの差、又は
第３のＰＭＩ及び第４のＣＱＩ、又は
第３のＰＭＩ及び第４のＣＱＩと第１のＣＱＩとの差、又は
第３のＰＭＩ及び第４のＣＱＩと第２のＣＱＩとの差、又は
第３のＰＭＩ及び第４のＣＱＩと第３のＣＱＩとの差、又は
第３のＰＭＩ、第４のＰＭＩ、第３のＣＱＩ、及び第４のＣＱＩ、又は
第３のＰＭＩ、第４のＰＭＩ、第３のＣＱＩ、及び第４のＣＱＩと第１のＣＱＩとの差、又は
第３のＰＭＩ、第４のＰＭＩ、第３のＣＱＩ、及び第４のＣＱＩと第２のＣＱＩとの差、又は
第３のＰＭＩ、第４のＰＭＩ、第３のＣＱＩ、及び第４のＣＱＩと第３のＣＱＩとの差、又は
第３のＰＭＩ、第４のＰＭＩ、及び第４のＣＱＩ、又は
第３のＰＭＩ、第４のＰＭＩ、及び第４のＣＱＩと第１のＣＱＩとの差、又は
第３のＰＭＩ、第４のＰＭＩ、及び第４のＣＱＩと第２のＣＱＩとの差、又は
第３のＰＭＩ、第４のＰＭＩ、及び第４のＣＱＩと第３のＣＱＩとの差を含む。
【００５７】
具体的に、第３のＣＳＩを報告する方式は下記のとおりである。
第１のＰＭＩに対応するプリコーディング行列Ｗ（１）がデュアルコードブック構造である、すなわち、Ｗ（１）＝Ｗ１（１）×Ｗ２（１）であるときに、Ｗ２（１）に対応する第４のＰＭＩが報告されるか、又は
第２のＰＭＩに対応するプリコーディング行列Ｗ（２）がデュアルコードブック構造である、すなわち、Ｗ（２）＝Ｗ１（２）×Ｗ２（２）であり、及び第３のＰＭＩに対応するプリコーディング行列Ｗ（３）がデュアルコードブック構造である、すなわち、Ｗ（３）＝Ｗ１（３）×Ｗ２（３）であるときに、
第４のＰＭＩが報告され、ここで、第４のＰＭＩに対応するプリコーディング行列は、Ｗ２（２）とＷ２（３）とのクロネッカー積を作ることによって得られる行列であるか、又は
第２のＰＭＩに対応するプリコーディング行列Ｗ（２）がデュアルコードブック構造である、すなわち、Ｗ（２）＝Ｗ１（２）×Ｗ２（２）であり、及び
第３のＰＭＩに対応するプリコーディング行列Ｗ（３）がデュアルコードブック構造である、すなわち、Ｗ（３）＝Ｗ１（３）×Ｗ２（３）であるときに、
第４のＰＭＩが報告され、ここで、第４のＰＭＩに対応するプリコーディング行列は、Ｗ１（２）とＷ１（３）とのクロネッカー積を作ることによって得られる行列である。
【００５８】
上記のチャネル測定方法において、第１のチャネルに関する測定、第２のチャネルに関する測定、及び第３のチャネルに関する測定は、第１のＣＳＩプロセス、第２のＣＳＩプロセス、及び第３のＣＳＩプロセスにそれぞれ対応する。第１、第２、及び第３のＣＳＩプロセスに対する報告プロセスにおいて、
第１のＣＳＩプロセスに対するＲＩを報告する周期は、第２のＣＳＩプロセスに対するＲＩを報告する周期の第１の整数倍であり、及び第１のＣＳＩプロセスに対するＲＩを報告する周期は、第３のＣＳＩプロセスに対するＲＩを報告する周期の第１の整数倍であり、
第１のＣＳＩプロセスに対するＰＭＩを報告する周期は、第２のＣＳＩプロセスに対するＰＭＩを報告する周期の第２の整数倍であり、及び第１のＣＳＩプロセスに対するＰＭＩを報告する周期は、第３のＣＳＩプロセスに対するＰＭＩを報告する周期の第２の整数倍であり、そして
第１のＣＳＩプロセスに対するＣＱＩを報告する周期は、第２のＣＳＩプロセスに対するＣＱＩを報告する周期の第３の整数倍であり、及び第１のＣＳＩプロセスに対するＣＱＩを報告する周期は、第３のＣＳＩプロセスに対するＣＱＩを報告する周期の第３の整数倍である。
【００５９】
制限ＣＳＩ測定範囲（restrictive  CSI  measurement  range）が使用される、バンドルされた（bundled）ＣＳＩプロセスの数は、基地局の上位層シグナリング又は動的シグナリングを使用することによって構成される。
【００６０】
端末は、制限ＣＳＩ測定範囲を使用するかどうかを指示するＣＳＩ測定フラグを報告する。
【００６１】
端末は、制限ＣＳＩ測定範囲が使用されないときに得られるＣＳＩ情報を最初に報告し、次いで、制限ＣＳＩ測定範囲が使用される必要があることを指示する制限測定フラグを報告し、及び、次いで、制限ＣＳＩ測定範囲が使用されるときに得られるＣＳＩ情報を報告する。
【００６２】
端末は、第１の制限ＣＳＩ測定範囲が使用されるときに得られるＣＳＩ情報を最初に報告し、次いで、第２の制限ＣＳＩ測定範囲が使用される必要があることを指示する制限測定フラグを報告し、及び、次いで、第２の制限ＣＳＩ測定範囲が使用されるときに得られるＣＳＩ情報を報告する。
【００６３】
端末は、制限ＣＳＩ測定範囲が使用されないときに得られるＣＳＩ情報を最初に報告し、及び、次いで、制限ＣＳＩ測定範囲が使用される必要があることを指示する制限測定フラグを受信し、これは、上位層シグナリング又は動的シグナリングを使用することによって基地局によって通知され、及び、次いで、ＵＥは、制限ＣＳＩ測定範囲が使用されるときに得られるＣＳＩ情報を報告する。
【００６４】
ＵＥは、第１の制限ＣＳＩ測定範囲が使用されるときに得られるＣＳＩ情報を最初に報告し、及び、次いで、第２の制限ＣＳＩ測定範囲が使用される必要があることを指示する制限測定フラグを受信し、これは、上位層シグナリング又は動的シグナリングを使用することによって基地局によって通知され、及び、次いで、ＵＥは、第２の制限ＣＳＩ測定範囲が使用されるときに得られるＣＳＩ情報を報告する。
【００６５】
ＣＳＩ測定範囲を制限するステップは、ＲＩ測定範囲を制限するステップ、又は報告されるＰＭＩのアンテナポート量を制限するステップを含む。
【００６６】
第１のチャネル測定情報が、第１の測定構成情報を含むときに、第１の測定構成情報は、基地局によって端末に送信され、たとえば、上位層シグナリングを使用することによって端末に対して構成されるものとしてよく、及び第１のチャネルを測定するために端末によって使用され、第１のＣＳＩを取得する。
【００６７】
上記のチャネルの各々に関する測定は、１つのＣＳＩプロセスに対応するものとしてよく、基地局は、端末に対して複数のＣＳＩプロセスを構成するものとしてよく、及び各ＣＳＩプロセスの構成において、基地局は、端末に対するチャネル状態情報基準信号（ｃｈａｎｎｅｌ  ｓｔａｔｅ  ｉｎｆｏｒｍａｔｉｏｎ−ｒｅｆｅｒｅｎｃｅ  ｓｉｇｎａｌ，ＣＳＩ−ＲＳ）リソース（すなわち、パイロットの構成）、チャネル状態情報干渉測定リソース（ＣＳＩ−ｉｎｔｅｒｆｅｒｅｎｃｅ  ｍｅａｓｕｒｅｍｅｎｔ  （ＣＳＩ−ＩＭ）  ｒｅｓｏｕｒｃｅ）、及び同様のものを構成することに留意されたい。
【００６８】
基地局が端末に対して３つのＣＳＩプロセスを構成する一実施形態が、下記で詳しく説明される。図５を参照すると、この実施形態において、パイロットの構成の状況は、下記のとおりである。
【００６９】
１．Ｎ個のＣＳＩ−ＲＳパイロット構成情報（ＣＳＩ−ＲＳ  ｐａｔｔｅｒｎ）が構成され、ここで、Ｎは、１より大きい正整数であり、及びその１つのＣＳＩ−ＲＳ  ｐａｔｔｅｒｎ（第１のＣＳＩ−ＲＳ  ｐａｔｔｅｒｎ）のポート量は、残りのＣＳＩ−ＲＳ  ｐａｔｔｅｒｎのうちの少なくとも１つのポート量より多く、及び、特に、第１のＣＳＩ−ＲＳのポート量は、他のＣＳＩ−ＲＳのポート量の積である。図５において、第１のＣＳＩ−ＲＳのポート量は、１６であり、第２のＣＳＩ−ＲＳのポート量は、４であり、第２のＣＳＩ−ＲＳのポートは、水平方向のポートであり、第３のＣＳＩ−ＲＳのポート量は、４であり、及び第３のＣＳＩ−ＲＳのポートは、垂直方向のポートであり、並びに第１のＣＳＩ−ＲＳのポート量は、第２のＣＳＩ−ＲＳのポート量と第３のＣＳＩ−ＲＳのポート量との積である。
【００７０】
２．残りのＣＳＩ−ＲＳ  ｐａｔｔｅｒｎは、第１のＣＳＩ−ＲＳ  ｐａｔｔｅｒｎのサブセットである。たとえば、図５において、第１のＣＳＩ−ＲＳ  ｐａｔｔｅｒｎの１６個のポートは、図中、陰影領域０から１５に別々にマッピングされ、第２のＣＳＩ−ＲＳ  ｐａｔｔｅｒｎの４個のポートは、第１のｐａｔｔｅｒｎのサブセット内のポート０、１、２、及び３の配置に別々にマッピングされ、並びに第３のＣＳＩ−ＲＳ  ｐａｔｔｅｒｎの４個のポートは、第１のｐａｔｔｅｒｎのサブセット内のポート０、４、８、及び１２の配置に別々にマッピングされる。
【００７１】
３．第１のＣＳＩ−ＲＳ  ｐａｔｔｅｒｎの送信周期は、残りのＣＳＩ−ＲＳ  ｐａｔｔｅｒｎの送信周期以上である。
【００７２】
たとえば、第１のＣＳＩ−ＲＳ  ｐａｔｔｅｒｎの送信のサブフレームオフセットは、ΔＣＳＩ−ＲＳ，１であり、及び残りのＣＳＩ−ＲＳ  ｐａｔｔｅｒｎの送信周期のサブフレームオフセットは、ΔＣＳＩ−ＲＳ，ｊであり、ここで、ｊは、ＣＳＩ−ＲＳ  ｐａｔｔｅｒｎのインデックスであり、ｊは１に等しくなく、及びＣＳＩ−ＲＳ  ｐａｔｔｅｒｎのサブフレームオフセットは、同じであり得るか、又は異なり得る。第１のＣＳＩ−ＲＳ  ｐａｔｔｅｒｎの送信のサブフレーム周期は、ＴＣＳＩ−ＲＳ，１であり、及び残りのＣＳＩ−ＲＳ  ｐａｔｔｅｒｎの送信周期のサブフレーム周期は、ＴＣＳＩ−ＲＳ，ｊであり、ここで、ｊは１に等しくない。すなわち、第１のＣＳＩ−ＲＳ  ｐａｔｔｅｒｎの送信周期は、他のＣＳＩ−ＲＳ  ｐａｔｔｅｒｎのうちの少なくとも１つの送信周期の整数倍、すなわち、ＴＣＳＩ−ＲＳ，１＝Ｋ×ＴＣＳＩ−ＲＳ，ｊであり、ここで、Ｋは、整数であるか、又はＴＣＳＩ−ＲＳ，１＞ＴＣＳＩ−ＲＳ，ｊであり、第１のＣＳＩ−ＲＳ  ｐａｔｔｅｒｎは、別のＣＳＩ−ＲＳ  ｐａｔｔｅｒｎと衝突しないことが保証される。
【数２】
2018113711.tif 000004
【００７３】
【表１】
2018113711.tif 000005
【００７４】
チャネル情報の３つのグループに関する構成、測定、又はフィードバックは、３つのＣＳＩプロセス（ＣＳＩ  ｐｒｏｃｅｓｓｅｓ）に対応する。第１のＣＳＩ  ｐｒｏｃｅｓｓは、２Ｄアレイ全体のアンテナｐａｔｔｅｒｎに対応し、たとえば、図５における第１のＣＳＩ−ＲＳ  ｐａｔｔｅｒｎに対応し（アンテナ量はＸ（１）である）、ここで、括弧内の内容は、チャネル情報のグループ番号であり、第２のＣＳＩ  ｐｒｏｃｅｓｓは、水平アンテナの１つの行を有するｐａｔｔｅｒｎに対応し（アンテナ量はＸ（２）である）、及び図５における第２のＣＳＩ−ＲＳ  ｐａｔｔｅｒｎに対応し、並びに第３のＣＳＩ  ｐｒｏｃｅｓｓは、垂直アンテナの１つの列を有するｐａｔｔｅｒｎに対応し（アンテナ量はＸ（３）である）、及び図５における第３のＣＳＩ−ＲＳ  ｐａｔｔｅｒｎに対応する。
【００７５】
ａ．チャネル情報の第１のグループの測定及び報告は、下記の内容、すなわち、
第１のＣＳＩ  ｐｒｏｃｅｓｓに対して構成された第１のＣＳＩ−ＲＳ  ｐａｔｔｅｒｎに従って第１のチャネルのＲＩ、ランクＲＩ（１）を測定し、報告するステップ、
ランクＲＩ（１）に従って第１のＰＭＩを測定し、報告するステップであって、ここで、第１のＰＭＩに対応するプリコーディング行列Ｗ１（１）のポート量は、第１のＣＳＩ  ｐｒｏｃｅｓｓに対して構成されているパイロットのポート量Ｘ（１）である、ステップ、
第１のＰＭＩに対応するプリコーディング行列が、デュアルコードブック構造である場合に、デュアルコードブック構造におけるロングタームワイドバンドのＷ１（１）に対応するプリコーディングインジケータ情報、第１のサブＰＭＩを報告するステップであって、ここで、Ｗ（１）＝Ｗ１（１）×Ｗ２（１）である、ステップ、
第２のＣＳＩ−ＲＳ  ｐａｔｔｅｒｎに対応するポートの配置が第１のＣＳＩ−ＲＳ  ｐａｔｔｅｒｎで指示され、及び第２のＣＳＩ−ＲＳ  ｐａｔｔｅｒｎに対応するポートに従って報告されるＷ（２）に対応するプリコーディングインジケータ情報が第２のＰＭＩであるステップ、
第２のＣＳＩ−ＲＳ  ｐａｔｔｅｒｎに対応するポートの配置が第１のＣＳＩ−ＲＳ  ｐａｔｔｅｒｎで指示され、及び第２のＣＳＩ−ＲＳ  ｐａｔｔｅｒｎに対応するポートに従って報告されるロングタームワイドバンドのＷ１（２）に対応するプリコーディングインジケータ情報が第２のサブＰＭＩであるステップであって、ここで、Ｗ（２）＝Ｗ１（２）×Ｗ２（２）である、ステップ、
第３のＣＳＩ−ＲＳ  ｐａｔｔｅｒｎに対応するポートの配置が第１のＣＳＩ−ＲＳ  ｐａｔｔｅｒｎで指示され、及び第３のＣＳＩ−ＲＳ  ｐａｔｔｅｒｎに対応するポートに従って報告されるＷ（３）に対応するプリコーディングインジケータ情報が第３のＰＭＩであるステップ、
第３のＣＳＩ−ＲＳ  ｐａｔｔｅｒｎに対応するポートの配置が第１のＣＳＩ−ＲＳ  ｐａｔｔｅｒｎで指示され、及び第３のＣＳＩ−ＲＳ  ｐａｔｔｅｒｎに対応するポートに従って報告されるロングタームワイドバンドのＷ１（３）に対応するプリコーディングインジケータ情報が第３のサブＰＭＩであるステップであって、ここで、Ｗ（３）＝Ｗ１（３）×Ｗ２（３）である、ステップ、
送信ダイバーシティ解決方法を使用することによって、又は開ループ空間多重化方式において、又は第１のＰＭＩを使用することによって、又は第１のサブＰＭＩを使用することによって、又は特定のＰＭＩを使用することによって、報告済みＲＩに従って報告される第１のＣＱＩがＣＱＩ（１）であるステップであって、ここで、特定のＰＭＩは、上位層シグナリング又は動的シグナリングに従って構成され得る、ステップ、
第２のＰＭＩ又は第２のサブＰＭＩに従って、第２のＣＱＩ、ＣＱＩ（２）を測定し、報告するステップ、並びに
第３のＰＭＩ又は第３のサブＰＭＩに従って、第３のＣＱＩ、ＣＱＩ（３）を測定し、報告するステップのうちの少なくとも１つを含む。
【００７６】
ｂ．チャネル情報の第２のグループの測定及び報告は、下記の内容、すなわち、
チャネル情報の第２のグループにおけるＲＩがＲＩ（２）であるステップであって、ここで、ＲＩ（２）は、チャネル情報の第１のグループにおけるＲＩ（１）に関連付けられ、及びＲＩ（２）とＲＩ（１）との間に関数関係があり、式の形式は、ＲＩ（２）≦ＲＩ（１）であり、ＲＩ（１）は、第１のＣＳＩ  ｐｒｏｃｅｓｓに対して構成されている第１のＣＳＩ−ＲＳ  ｐａｔｔｅｒｎに従って測定され、及び報告されるＲＩであるか、又はＲＩ（１）は、アップリンク信号を測定することによって基地局によって得られ、及び、次いで、シグナリングを使用することによってＵＥに対して構成され、アップリンク信号は、ＳＲＳであってよく、シグナリングは、動的シグナリング又は上位層シグナリングであってよく、並びにＵＥは、ＲＩ（２）≦ＲＩ（１）である測定範囲内で、第２のＣＳＩ−ＲＳ  ｐａｔｔｅｒｎに従ってチャネル情報の第２のグループにおけるＲＩを測定し、及び、次いで、ＲＩを報告する、ステップ、
報告されたＲＩ（２）に従ってチャネル情報の第２のグループにおけるプリコーディング情報ＰＭＩ（２）をＵＥによってフィードバックするステップであって、ここで、ＰＭＩ（２）に対応するプリコーディング行列Ｗ（２）の行の量は、チャネル情報の第２のグループにおいて構成されている測定パイロットのポート量Ｘ（２）であり、列の量は、報告されたＲＩ（２）である、ステップ、
ＰＭＩ（２）＝Ｗ１（２）×Ｗ２（２）に対応するプリコーディング行列Ｗ（２）におけるＷ２（１）が、第１のチャネル情報ですでに報告されている場合に、Ｗ２（２）に対応するプリコーディングインジケータ情報、第２のサブＰＭＩに関する情報を、第２のチャネル情報で報告するステップ、
報告されたＲＩ、すなわち、第２のチャネルのＲＩ（２）、及び第２のＰＭＩ又は第２のチャネルの第２のサブＰＭＩに従って、第２のＣＱＩ、すなわち、第２のチャネルのＣＱＩ（２）を、ＵＥによって、測定を通じて取得し、第２のＣＱＩ、すなわち、ＣＱＩ（２）を報告するステップ、並びに
第２のＣＳＩ  ｐｒｏｃｅｓｓにおいて、デュアルコードブックＰＭＩフィードバックモードが、アンテナ量Ｘ２に対して必要である場合に、フィードバックモードがｍｏｄｅ  １−１として構成されることを仮定すると、Ｗ（２）＝Ｗ１（２）×Ｗ２（２）であり、ここで、Ｗ１（２）がロングタームワイドバンド情報であり、Ｗ２（２）がショートターム情報であり、それがｍｏｄｅ  １−１のサブモード１であるならば、ＲＩ（２）及びＷ１（２）を一緒に報告し、そしてワイドバンドＣＱＩ（２）及びＷ２（２）を一緒に報告し、若しくはｍｏｄｅ  １−１のサブモード２が構成されるならば、ＲＩ（２）を別に報告し、及びＷ１（２）、Ｗ２（２）、及びワイドバンドＣＱＩ（２）を一緒に報告し、又はデュアルコードブックＰＭＩフィードバックが、アンテナ量Ｘ２に対して必要でない場合に、ＲＩ（２）に基づき測定を通じてＷ（２）を直接取得するステップであって、ここで、ＰＭＩ（２）の次元はＸ２×ＲＩ（２）であり、行の量はＸ２であり、及び列の量はＲＩ（２）である、ステップのうちの少なくとも１つを含む。
【００７７】
ｃ．チャネル情報の第３のグループの測定及び報告は、下記の内容、すなわち、
チャネル情報の第３のグループにおけるＲＩがＲＩ（３）であるステップであって、ここで、ＲＩ（３）は、チャネル情報の第１のグループにおけるＲＩ（１）及びチャネル情報の第２のグループにおけるＲＩ（２）に関連付けられ、及びＲＩ（３）とＲＩ（１）とＲＩ（２）との間に関数関係があり、式の形式は、ｆｌｏｏｒ（ＲＩ（１）／ＲＩ（２））≦ＲＩ（３）≦ＲＩ（１）であり、ｆｌｏｏｒは、切り捨てを行い、ＲＩ（１）は、第１のＣＳＩ  ｐｒｏｃｅｓｓに対して構成されている第１のＣＳＩ−ＲＳ  ｐａｔｔｅｒｎに従って測定され、及び報告されるＲＩであるか、又はＲＩ（１）は、アップリンク信号を測定することによって基地局によって取得され、及び、次いで、シグナリングを使用することによってＵＥに対して構成され、アップリンク信号は、ＳＲＳであってよく、シグナリングは、動的シグナリング又は上位層シグナリングであってよく、ＲＩ（２）は、第２のＣＳＩ  ｐｒｏｃｅｓｓに対して構成されている第２のＣＳＩ−ＲＳ  ｐａｔｔｅｒｎに従って測定され、及び報告されるＲＩであるか、又はＲＩ（２）は、アップリンク信号を測定することによって基地局によって取得され、及び、次いで、シグナリングを使用することによってＵＥに対して構成され、アップリンク信号は、ＳＲＳであってよく、及びシグナリングは、動的シグナリング又は上位層シグナリングであってよい、ステップ、並びに
チャネル情報の第３のグループにおける第３のプリコーディング情報ＰＭＩ（３）及び／又は第４のプリコーディング情報ＰＭＩ（４）を、ＵＥによってフィードバックするステップであって、ここで、具体的に、
ＵＥは、報告されたＲＩ（３）に従ってチャネル情報の第３のグループにおけるプリコーディング情報ＰＭＩ（３）をフィードバックし、ここで、ＰＭＩ（３）に対応するプリコーディング行列Ｗ（３）の行の量は、チャネル情報の第３のグループにおいて構成されている測定パイロットのポート量Ｘ（３）であり、列の量は、報告されたＲＩ（３）であり、たとえば、ＲＩ（１）＝７、及びＲＩ（２）＝２である場合、ｆｌｏｏｒ（ＲＩ（１）／ＲＩ（２））≦ＲＩ（３）≦ＲＩ（１）に従って、ＲＩ（３）の測定範囲は３≦ＲＩ（３）≦７であることが得られ、及びＲＩ（３）＝３であることを仮定すると、報告されたＰＭＩ（３）に対応するプリコーディング行列は８個の行と３個の列とを有する、ステップ、又は
Ｗ（３）がデュアルコードブック構造である、すなわち、Ｗ（３）＝Ｗ１（３）×Ｗ２（３）であること、及びチャネル情報の第３のグループにおいて、Ｗ１（３）に対応するプリコーディングインジケータ情報が第１のＣＳＩ  ｐｒｏｃｅｓｓですでに報告されていることを仮定すると、Ｗ２（３）に対応する、第３のＰＭＩとして表されている、プリコーディングインジケータ情報のみが報告され、Ｗ（３）は、Ｗ１（３）とＷ２（３）とを組み合わせることによって得られ、これにより第３のＣＱＩを計算する、ステップのうちの少なくとも１つを含む。
【００７８】
第１のＰＭＩに対応するプリコーディング行列Ｗ（１）がデュアルコードブック構造である、すなわち、Ｗ（１）＝Ｗ１（１）×Ｗ２（１）であり、Ｗ１（１）に対応するプリコーディング情報が、第１のチャネル情報ですでに報告されているときに、Ｗ２（１）に対応する第４のＰＭＩ、ＰＭＩ（４）が報告され、及び／又は、ＵＥが、チャネル情報の第１のグループにおけるＲＩ（１）に従ってチャネル情報の第４のグループにおけるプリコーディング情報ＰＭＩ（４）をフィードバックし、ここで、フィードバックされるＰＭＩ（４）に対応するプリコーディング行列Ｗ（４）の行の量は、チャネル情報の第１のグループにおいて構成されている測定パイロットのポート量Ｘ（１）であるか、又はチャネル情報の第２のグループにおいて構成されている測定パイロットのポート量Ｘ（２）とチャネル情報の第３のグループにおいて構成されている測定パイロットのポート量Ｘ（３）との積であり、たとえば、行の量は、６４ポートであり、及び列の量は、チャネル情報の第１のグループにおけるＲＩ（１）であるか、又は列の量は、ＲＩ（２）×ＲＩ（３）であるか、又は列の量は、ｍｉｎ（ＲＩ（１），ＲＩ（２）×ＲＩ（３））であり、ここで、ｍｉｎは、最小値を求める演算である、又は列の量は、ｍａｘ（ＲＩ（１），ＲＩ（２）×ＲＩ（３））である。たとえば、ＲＩ（１）＝７、及びＲＩ（２）＝２である場合、ｆｌｏｏｒ（ＲＩ（１）／ＲＩ（２））≦ＲＩ（３）≦ＲＩ（１）に従って、ＲＩ（３）の測定範囲は３≦ＲＩ（３）≦７であることが得られ、及び報告されたＲＩ（３）＝３であることを仮定すると、列の量がＲＩ（１）である場合に、報告されたＰＭＩ（４）に対応するプリコーディング行列は６４個の行と７個の列とを有するか、又はｍｉｎ（ＲＩ（１），ＲＩ（２）×ＲＩ（３））に従って、列の量がｍｉｎ（７，２×３）＝６であることが得られた場合に、報告されたＰＭＩ（４）に対応するプリコーディング行列は６４個の行と６個の列とを有する。それに加えて、ＰＭＩ（４）は、ＰＭＩ（２）及びＰＭＩ（３）に従って得られるものとしてよい。たとえば、
【００７９】
【数３】
2018113711.tif 000006
を使用することによって得られる組み合わされたＷ（４）の次元は、（Ｘ（２）×Ｘ（３））×（ＲＩ（２）×ＲＩ（３））であり、ここで、
【００８０】
【数４】
2018113711.tif 000007
は、クロネッカー積であり、Ｗ（４）の行の量は、（Ｘ（２）×Ｘ（３））であり、Ｗ（４）の列の量は、ＲＩ（２）×ＲＩ（３）であるか、又は報告されたＲＩ（３）＝４であり、ｍｉｎ（ＲＩ（１），ＲＩ（２）×ＲＩ（３））に従って、ｍｉｎ（７，２×４）＝７であることが得られたときに、下記の行列Ｗは、
【００８１】
【数５】
2018113711.tif 000008
を使用することによって最初に得られ、ここで、その行の量は、Ｘ（２）×Ｘ（３）であり、その列の量は、ＲＩ（２）×ＲＩ（３）であり、点線のボックス内の行列は、Ｗ（４）であり、及びその列の量は、ＲＩ（１）である。
【００８２】
【数６】
2018113711.tif 000009
【００８３】
Ａがｍ×ｎ行列であり、及びＢがｐ×ｑ行列である場合、
【００８４】
【数７】
2018113711.tif 000010
のクロネッカー積は、ｍｐ×ｎｑブロック行列
【００８５】
【数８】
2018113711.tif 000011
であり、これは
【００８６】
【数９】
2018113711.tif 000012
としてより具体的に表され得る。
【００８７】
次いで、ＷのＲＩ（１）個の列を取ることによってＷ（４）が得られる。ＲＩ（１）個の列を取るプロセスにおいて、第１の列から選択することは必要でなく、及び連続するＲＩ（１）個の列がＰ番目の列から選択されるものとしてよく、並びに選択中に連続するＲＩ（１）個の列を取ることは必要でなく、及び選択は不連続に実行されてよい。列選択プロセスは、ＵＥ側で、又は基地局側で実行され得る。それがＵＥ側で実行される場合、ＵＥは、列選択結果、すなわちＰＭＩ（４）を基地局にフィードバックする必要があり、及び選択されたＸ＝ＲＩ（１）個の列フラグを基地局にフィードバックし、Ｗが
【００８８】
【数１０】
2018113711.tif 000013
であるか、又は
【００８９】
【数１１】
2018113711.tif 000014
であるかを基地局に報告する、すなわち、クロネッカー積の順序を基地局に通知し得るか、又はクロネッカー積の順序は、Ｗ（２）及びＷ（３）におけるより大きいアンテナの量を有する行列が前となるか、若しくはＷ（２）及びＷ（３）におけるより大きいランクを有する行列が前となる順序であることが既定であり、並びにＵＥは、得られたＷ（４）に従って、第４のＣＱＩ、ＣＱＩ（４）を計算する。
【００９０】
ＵＥは、報告されたＲＩ（３）及びＰＭＩ（３）に従って測定を通じてＣＱＩ（３）を取得し、及びＣＱＩ（３）を報告し、並びに／又はＵＥは、報告されたＰＭＩ（４）に従って測定を通じてＣＱＩ（４）を取得し、及びＣＱＩ（４）を報告し、ここで、ＣＱＩ（４）は、ＣＱＩ（４）とＣＱＩ（３）との差を使用することによって取得されるか、又はＣＱＩ（４）とＣＱＩ（２）との差を使用することによって取得されるか、又はＣＱＩ（４）とＣＱＩ（１）との差を使用することによって取得され得る。
【００９１】
ｄ．チャネル情報の第３のグループにおけるＲＩの測定及び報告は、（ＲＩ測定範囲の別の公式）、
チャネル情報の第３のグループにおけるＲＩがＲＩ（３）であるステップであって、ここで、ＲＩ（３）は、チャネル情報の第１のグループにおけるＲＩ（１）及びチャネル情報の第２のグループにおけるＲＩ（２）に関連付けられ、及びＲＩ（３）とＲＩ（１）とＲＩ（２）との間に関数関係があり、式の形式は、ｃｅｉｌ（ＲＩ（１）／ＲＩ（２））≦ＲＩ（３）≦ＲＩ（１）であり、ｃｅｉｌは、切り上げを行い、ＲＩ（１）は、第１のＣＳＩ  ｐｒｏｃｅｓｓに対して構成されている第１のＣＳＩ−ＲＳ  ｐａｔｔｅｒｎに従って測定され、及び報告されるＲＩであるか、又はＲＩ（１）は、アップリンク信号を測定することによって基地局によって取得され、及び、次いで、シグナリングを使用することによってＵＥに対して構成され、アップリンク信号は、ＳＲＳであってよく、シグナリングは、動的シグナリング又は上位層シグナリングであってよく、ＲＩ（２）は、第２のＣＳＩ  ｐｒｏｃｅｓｓに対して構成されている第２のＣＳＩ−ＲＳ  ｐａｔｔｅｒｎに従って測定され、及び報告されるＲＩであるか、又はＲＩ（２）は、アップリンク信号を測定することによって基地局によって取得され、及び、次いで、シグナリングを使用することによってＵＥに対して構成され、アップリンク信号は、ＳＲＳであってよく、及びシグナリングは、動的シグナリング又は上位層シグナリングであってよい、ステップ、
チャネル情報の第３のグループにおけるＲＩがＲＩ（３）であるステップであって、ここで、ＲＩ（３）は、チャネル情報の第１のグループにおけるＲＩ（１）及びチャネル情報の第２のグループにおけるＲＩ（２）に関連付けられ、及びＲＩ（３）とＲＩ（１）とＲＩ（２）との間に関数関係があり、式の形式は、ＲＩ（３）≦ｆｌｏｏｒ（ＲＩ（１）／ＲＩ（２））であり、ｆｌｏｏｒは、切り捨てを行い、ＲＩ（１）は、第１のＣＳＩ  ｐｒｏｃｅｓｓに対して構成されている第１のＣＳＩ−ＲＳ  ｐａｔｔｅｒｎに従って測定され、及び報告されるＲＩであるか、又はＲＩ（１）は、アップリンク信号を測定することによって基地局によって取得され、及び、次いで、シグナリングを使用することによってＵＥに対して構成され、アップリンク信号は、ＳＲＳであってよく、シグナリングは、動的シグナリング又は上位層シグナリングであってよく、ＲＩ（２）は、第２のＣＳＩ  ｐｒｏｃｅｓｓに対して構成されている第２のＣＳＩ−ＲＳ  ｐａｔｔｅｒｎに従って測定され、及び報告されるＲＩであるか、又はＲＩ（２）は、アップリンク信号を測定することによって基地局によって取得され、及び、次いで、シグナリングを使用することによってＵＥに対して構成され、アップリンク信号は、ＳＲＳであってよく、及びシグナリングは、動的シグナリング又は上位層シグナリングであってよい、ステップ、
チャネル情報の第３のグループにおけるＲＩがＲＩ（３）であるステップであって、ここで、ＲＩ（３）は、チャネル情報の第１のグループにおけるＲＩ（１）及びチャネル情報の第２のグループにおけるＲＩ（２）に関連付けられ、及びＲＩ（３）とＲＩ（１）とＲＩ（２）との間に関数関係があり、式の形式は、ＲＩ（３）≦ｃｅｉｌ（ＲＩ（１）／ＲＩ（２））であり、ｃｅｉｌは、切り上げを行い、ＲＩ（１）は、第１のＣＳＩ  ｐｒｏｃｅｓｓに対して構成されている第１のＣＳＩ−ＲＳ  ｐａｔｔｅｒｎに従って測定され、及び報告されるＲＩであるか、又はＲＩ（1）は、アップリンク信号を測定することによって基地局によって取得され、及び、次いで、シグナリングを使用することによってＵＥに対して構成され、アップリンク信号は、ＳＲＳであってよく、シグナリングは、動的シグナリング又は上位層シグナリングであってよく、ＲＩ（２）は、第２のＣＳＩ  ｐｒｏｃｅｓｓに対して構成されている第２のＣＳＩ−ＲＳ  ｐａｔｔｅｒｎに従って測定され、及び報告されるＲＩであるか、又はＲＩ（２）は、アップリンク信号を測定することによって基地局によって取得され、及び、次いで、シグナリングを使用することによってＵＥに対して構成され、アップリンク信号は、ＳＲＳであってよく、及びシグナリングは、動的シグナリング又は上位層シグナリングであってよい、ステップ、
チャネル情報の第３のグループにおけるＲＩがＲＩ（３）であるステップであって、ここで、ＲＩ（３）は、チャネル情報の第１のグループにおけるＲＩ（１）及びチャネル情報の第２のグループにおけるＲＩ（２）に関連付けられ、及びＲＩ（３）とＲＩ（１）とＲＩ（２）との間に関数関係があり、式の形式は、ＲＩ（３）＝ｆｌｏｏｒ（ＲＩ（１）／ＲＩ（２））であり、ｆｌｏｏｒは、切り捨てを行い、ＲＩ（１）は、第１のＣＳＩ  ｐｒｏｃｅｓｓに対して構成されている第１のＣＳＩ−ＲＳ  ｐａｔｔｅｒｎに従って測定され、及び報告されるＲＩであるか、又はＲＩ（１）は、アップリンク信号を測定することによって基地局によって取得され、及び、次いで、シグナリングを使用することによってＵＥに対して構成され、アップリンク信号は、ＳＲＳであってよく、シグナリングは、動的シグナリング又は上位層シグナリングであってよく、ＲＩ（２）は、第２のＣＳＩ  ｐｒｏｃｅｓｓに対して構成されている第２のＣＳＩ−ＲＳ  ｐａｔｔｅｒｎに従って測定され、及び報告されるＲＩであるか、又はＲＩ（２）は、アップリンク信号を測定することによって基地局によって取得され、及び、次いで、シグナリングを使用することによってＵＥに対して構成され、アップリンク信号は、ＳＲＳであってよく、及びシグナリングは、動的シグナリング又は上位層シグナリングであってよく、及びこの方式で、ＲＩ（３）は、報告され得ず、ＰＭＩ（３）及び／又はＰＭＩ（４）は、報告され、及びＰＭＩ（３）及びＰＭＩ（４）の次元は、上記の説明におけるものと同じである、ステップ、又は
チャネル情報の第３のグループにおけるＲＩがＲＩ（３）であるステップであって、ここで、ＲＩ（３）は、チャネル情報の第１のグループにおけるＲＩ（１）及びチャネル情報の第２のグループにおけるＲＩ（２）に関連付けられ、及びＲＩ（３）とＲＩ（１）とＲＩ（２）との間に関数関係があり、式の形式は、ＲＩ（３）＝ｃｅｉｌ（ＲＩ（１）／ＲＩ（２））であり、ｃｅｉｌは、切り上げを行い、ＲＩ（１）は、第１のＣＳＩ  ｐｒｏｃｅｓｓに対して構成されている第１のＣＳＩ−ＲＳ  ｐａｔｔｅｒｎに従って測定され、及び報告されるＲＩであるか、又はＲＩ（1）は、アップリンク信号を測定することによって基地局によって取得され、及び、次いで、シグナリングを使用することによってＵＥに対して構成され、アップリンク信号は、ＳＲＳであってよく、シグナリングは、動的シグナリング又は上位層シグナリングであってよく、ＲＩ（２）は、第２のＣＳＩ  ｐｒｏｃｅｓｓに対して構成されている第２のＣＳＩ−ＲＳ  ｐａｔｔｅｒｎに従って測定され、及び報告されるＲＩであるか、又はＲＩ（２）は、アップリンク信号を測定することによって基地局によって取得され、及び、次いで、シグナリングを使用することによってＵＥに対して構成され、アップリンク信号は、ＳＲＳであってよく、及びシグナリングは、動的シグナリング又は上位層シグナリングであってよく、及びこの方式で、ＲＩ（３）は、報告され得ず、ＰＭＩ（３）及び／又はＰＭＩ（４）は、報告され、及びＰＭＩ（３）及びＰＭＩ（４）の次元は、上記の説明におけるものと同じである、ステップをさらに含む。
【００９２】
第３のＲＩの範囲を決定する他のいくつかの方式は、下記のとおりである。
ｆｌｏｏｒ（ＲＩ（１）／ＲＩ（２））＜ＲＩ（３）≦ＲＩ（１）、
ｆｌｏｏｒ（ＲＩ（１）／ＲＩ（２））≦ＲＩ（３）＜ＲＩ（１）、
ｆｌｏｏｒ（ＲＩ（１）／ＲＩ（２））＜ＲＩ（３）＜ＲＩ（１）、
ｃｅｉｌ（ＲＩ（１）／ＲＩ（２））＜ＲＩ（３）≦ＲＩ（１）、
ｃｅｉｌ（ＲＩ（１）／ＲＩ（２））≦ＲＩ（３）＜ＲＩ（１）、
ｃｅｉｌ（ＲＩ（１）／ＲＩ（２））＜ＲＩ（３）＜ＲＩ（１）、
ＲＩ（３）＜ｆｌｏｏｒ（ＲＩ（１）／ＲＩ（２））、及び
ＲＩ（３）＜ｃｅｉｌ（ＲＩ（１）／ＲＩ（２））。
【００９３】
ＲＩ（３）の範囲を決定する上記のいくつかの方式は、上位層シグナリング又は動的シグナリングを使用することによってＵＥに対して基地局によって構成され得る。たとえば、ＲＩ測定範囲を決定する複数の方式のうちの１つが選択され、そして上位層シグナリング又は動的シグナリングを使用することによって通知されるものとしてよく、及びＲＩ測定範囲を決定する複数の方式の間の切り替えが実行され得る。
【００９４】
制限範囲内でＣＳＩ測定を実行するかどうかについて、ＵＥは、ＣＳＩ測定範囲を制限するための制限測定フラグ（ｆｌａｇ）を報告し得るか、又は基地局がｆｌａｇを構成する。
【００９５】
ＵＥは、制限ＣＳＩ測定範囲を使用するかどうかを指示するＣＳＩ測定フラグを報告する。
【００９６】
たとえば、ＵＥは、制限ＣＳＩ測定範囲が使用されないときに得られるＣＳＩ測定情報を最初に報告し、次いで、制限ＣＳＩ測定範囲が使用される必要があることを指示する制限測定フラグを報告し、及び、次いで、制限ＣＳＩ測定範囲が使用されるときに得られるＣＳＩ測定情報を報告する。
【００９７】
代替的に、ＵＥは、第１の制限ＣＳＩ測定範囲が使用されるときに得られるＣＳＩ測定情報を最初に報告し、次いで、第２の制限ＣＳＩ測定範囲が使用される必要があることを指示する制限測定フラグを報告し、及び、次いで、第２の制限ＣＳＩ測定範囲が使用されるときに得られるＣＳＩ測定情報を報告する。
【００９８】
代替的に、ＵＥは、制限ＣＳＩ測定範囲が使用されないときに得られるＣＳＩ測定情報を最初に報告し、次いで、基地局は、上位層シグナリング又は動的シグナリングを使用することによって、制限ＣＳＩ測定範囲が使用される必要があることを指示する制限測定フラグを通知し、及び、次いで、ＵＥは、制限ＣＳＩ測定範囲が使用されるときに得られるＣＳＩ測定情報を報告する。
【００９９】
代替的に、ＵＥは、第１の制限ＣＳＩ測定範囲が使用されるときに得られるＣＳＩ測定情報を最初に報告し、次いで、基地局は、上位層シグナリング又は動的シグナリングを使用することによって、第２の制限ＣＳＩ測定範囲が使用される必要があることを指示する制限測定フラグを通知し、及び、次いで、ＵＥは、第２の制限ＣＳＩ測定範囲が使用されるときに得られるＣＳＩ測定情報を報告する。
【０１００】
ＣＳＩ範囲が制限される制限測定は、ＲＩの範囲を制限するステップと、ＰＭＩの範囲を制限するステップと、ＣＱＩの範囲を制限するステップとを含む。ＰＭＩの範囲を制限するステップは、ＰＭＩのセット、たとえば、異なるアンテナポートに対応するＰＭＩのセットを制限するステップを含む。
【０１０１】
１）チャネル情報の第１のグループにおける報告された内容の組合せ関係は、下記のとおりである。
第１のＲＩ、又は
第１のＲＩ及び第１のＣＱＩ、又は
第１のＲＩ及び第１のＰＭＩ、又は
第１のＲＩ、第１のＰＭＩ、及び第１のＣＱＩ、又は
第１のＲＩ及び第１のサブＰＭＩ、又は
第１のＲＩ、第１のサブＰＭＩ、及び第１のＣＱＩ、又は
第１のＲＩ及び第２のＰＭＩ、又は
第１のＲＩ、第２のＰＭＩ、及び第２のＣＱＩ、又は
第１のＲＩ及び第３のＰＭＩ、又は
第１のＲＩ、第３のＰＭＩ、及び第３のＣＱＩ、又は
第１のＲＩ及び第２のサブＰＭＩ、又は
第１のＲＩ、第２のサブＰＭＩ、及び第２のＣＱＩ、又は
第１のＲＩ及び第３のサブＰＭＩ、又は
第１のＲＩ、第３のサブＰＭＩ、及び第３のＣＱＩ。
【０１０２】
上記の組合せの各々は、ＣＳＩ測定範囲の制限測定フラグ（ｆｌａｇ）をさらに含み得る。
【０１０３】
２）チャネル情報の第１のグループにおける報告された内容の時間系列関係は、下記のとおりである。
ａ）チャネル情報の第１のグループにおけるＲＩ（１）のみが報告され、及び報告時間系列関係が図６に示されているか、
ｂ）チャネル情報の第１のグループにおけるＲＩ（１）及びＣＱＩ（１）が一緒に報告され、及び報告時間系列関係が図７に示されているか、
ｃ）チャネル情報の第１のグループにおけるＲＩ（１）及びＣＱＩ（２）が一緒に報告され、及び報告時間系列関係が図８に示されているか、
ｄ）チャネル情報の第１のグループにおけるＲＩ（１）及びＣＱＩ（３）が一緒に報告され、及び報告時間系列関係が図９に示されているか、
ｅ）チャネル情報の第１のグループにおけるＲＩ（１）及びＣＱＩ（４）が一緒に報告され、及び報告時間系列関係が図１０に示されているか、又は
ｆ）チャネル情報の第１のグループにおけるＲＩ（１）及びＷ１（１）が一緒に報告され、Ｗ１（４）は、第１のＣＳＩ−ＲＳに従って測定されたデュアルコードブック構造のロングタームワイドバンドのプリコーディング行列であり、Ｗ（１）＝Ｗ１（１）×Ｗ２（１）であり、及び報告時間系列関係が図１１に示されている。
【０１０４】
３）チャネル情報の第３のグループにおける報告された内容の組合せ関係は、下記のとおりである。
ａ）第３のＲＩ、第３のＰＭＩ、及び第３のＣＱＩ、又は
ｂ）第３のＲＩ、第３のＰＭＩ、及び第３のＣＱＩと第１のＣＱＩとの差、又は
ｃ）第３のＲＩ、第３のＰＭＩ、及び第３のＣＱＩと第２のＣＱＩとの差、若しくは第３のＲＩ、第３のＰＭＩ、第３のＣＱＩ、及び第４のＣＱＩ、又は
ｄ）第３のＲＩ、第３のＰＭＩ、第３のＣＱＩ、及び第４のＣＱＩと第１のＣＱＩとの差、又は
ｅ）第３のＲＩ、第３のＰＭＩ、第３のＣＱＩ、及び第４のＣＱＩと第３のＣＱＩとの差、又は
ｆ）第３のＲＩ、第３のＰＭＩ、及び第４のＣＱＩ、又は
ｇ）第３のＲＩ、第３のＰＭＩ、及び第４のＣＱＩと第１のＣＱＩとの差、又は
ｈ）第３のＲＩ、第３のＰＭＩ、及び第４のＣＱＩと第２のＣＱＩとの差、又は
ｉ）第３のＲＩ、第３のＰＭＩ、及び第４のＣＱＩと第３のＣＱＩとの差、又は
ｊ）第３のＲＩ、第３のＰＭＩ、第４のＰＭＩ、第３のＣＱＩ、及び第４のＣＱＩ、又は
ｋ）第３のＲＩ、第３のＰＭＩ、第４のＰＭＩ、第３のＣＱＩ、及び第４のＣＱＩと第１のＣＱＩとの差、又は
ｌ）第３のＲＩ、第３のＰＭＩ、第４のＰＭＩ、第３のＣＱＩ、及び第４のＣＱＩと第２のＣＱＩとの差、又は
ｍ）第３のＲＩ、第３のＰＭＩ、第４のＰＭＩ、第３のＣＱＩ、及び第４のＣＱＩと第３のＣＱＩとの差、又は
ｎ）第３のＲＩ、第３のＰＭＩ、第４のＰＭＩ、及び第４のＣＱＩ、又は
ｏ）第３のＲＩ、第３のＰＭＩ、第４のＰＭＩ、及び第４のＣＱＩと第１のＣＱＩとの差、又は
ｐ）第３のＲＩ、第３のＰＭＩ、第４のＰＭＩ、及び第４のＣＱＩと第２のＣＱＩとの差、又は
ｑ）第３のＲＩ、第３のＰＭＩ、第４のＰＭＩ、及び第４のＣＱＩと第３のＣＱＩとの差、又は
ｒ）第３のＰＭＩ及び第３のＣＱＩ、又は
ｓ）第３のＰＭＩ及び第３のＣＱＩと第１のＣＱＩとの差、又は
ｔ）第３のＰＭＩ及び第３のＣＱＩと第２のＣＱＩとの差、若しくは第３のＲＩ、第３のＰＭＩ、第３のＣＱＩ、及び第４のＣＱＩ、又は
ｕ）第３のＰＭＩ、第３のＣＱＩ、及び第４のＣＱＩと第１のＣＱＩとの差、又は
ｖ）第３のＰＭＩ、第３のＣＱＩ、及び第４のＣＱＩと第３のＣＱＩとの差、又は
ｗ）第３のＰＭＩ及び第４のＣＱＩ、又は
ｘ）第３のＰＭＩ及び第４のＣＱＩと第１のＣＱＩとの差、又は
ｙ）第３のＰＭＩ及び第４のＣＱＩと第２のＣＱＩとの差、又は
ｚ）第３のＰＭＩ及び第４のＣＱＩと第３のＣＱＩとの差、又は
ａａ）第３のＰＭＩ、第４のＰＭＩ、第３のＣＱＩ、及び第４のＣＱＩ、又は
ｂｂ）第３のＰＭＩ、第４のＰＭＩ、第３のＣＱＩ、及び第４のＣＱＩと第１のＣＱＩとの差、又は
ｃｃ）第３のＰＭＩ、第４のＰＭＩ、第３のＣＱＩ、及び第４のＣＱＩと第２のＣＱＩとの差、又は
ｄｄ）第３のＰＭＩ、第４のＰＭＩ、第３のＣＱＩ、及び第４のＣＱＩと第３のＣＱＩとの差、又は
ｅｅ）第３のＰＭＩ、第４のＰＭＩ、及び第４のＣＱＩ、又は
ｆｆ）第３のＰＭＩ、第４のＰＭＩ、及び第４のＣＱＩと第１のＣＱＩとの差、又は
ｇｇ）第３のＰＭＩ、第４のＰＭＩ、及び第４のＣＱＩと第２のＣＱＩとの差、又は
ｈｈ）第３のＰＭＩ、第４のＰＭＩ、及び第４のＣＱＩと第３のＣＱＩとの差。
【０１０５】
上記の組合せの各々は、ＣＳＩ測定範囲の制限測定フラグ（ｆｌａｇ）をさらに含み得る。
【０１０６】
４）チャネル情報の第３のグループにおける報告された内容の時間系列関係は、下記のとおりである。
ａ）チャネル情報の第３のグループにおけるＲＩ（３）は別に報告され、Ｗ（３）及びＣＱＩ（３）は、一緒に報告され、Ｗ（４）及びＣＱＩ（４）は、一緒に報告され、Ｗ（４）の報告周期は、Ｗ（２）及びＷ（３）の報告周期の最大公約数であるか、又はｍｉｎ（Ｗ（２）の報告周期，Ｗ（３）の報告周期）に等しく、及び報告時間系列関係が図１２に示されているか、
ｂ）チャネル情報の第３のグループにおけるＲＩ（３）は別に報告され、Ｗ（３）、Ｗ（４）、及びＣＱＩ（４）は、一緒に報告され、及び報告時間系列関係が図１３に示されているか、
ｃ）チャネル情報の第３のグループにおけるＲＩ（３）は別に報告され、Ｗ（３）、Ｗ（４）、ＣＱＩ（３）、及びＣＱＩ（４）は、一緒に報告され、及び報告時間系列関係が図１４に示されているか、
ｄ）チャネル情報の第３のグループにおけるＲＩ（３）は別に報告され、Ｗ（４）及びＣＱＩ（４）は、一緒に報告され、及び報告時間系列関係が図１５に示されているか、又は
ｅ）ＲＩ（３）を報告する必要がないときに、Ｗ（４）及びＣＱＩ（４）は一緒に報告され、及び報告時間系列関係が図１６に示されている。
【０１０７】
ＣＳＩ  ｐｒｏｃｅｓｓ  ３に対して、ｍｏｄｅ  １−１が構成され、ＲＩ（３）が報告され、及びＲＩ（３）＝ｆｌｏｏｒ（Ｒ／ＲＩ（２））、又はＲＩ（３）＝ｃｅｉｌ（Ｒ／ＲＩ（２））である。ＰＭＩ（３）及び／又はＰＭＩ（４）は、ＲＩ（３）に基づき測定を通じて得られ、及び報告される。ＰＭＩ（３）の次元は、Ｘ３×ＲＩ（３）である。それに加えて、合計の組み合わされたＰＭＩは、ｒ１、ｒ２、ＰＭＩ（２）、及びＰＭＩ（３）に基づき得られ、ＣＳＩ  ｐｒｏｃｅｓｓ  ２に基づき得られるＰＭＩ（２）は、Ｘ１×ＲＩ（２）であり、並びにＣＱＩが測定され、及び報告される。Ｘ１が、アンテナ数８以上である場合、デュアルコードブックＰＭＩフィードバックモードが必要である、すなわち、それがｍｏｄｅ  １−１のサブモード１である場合に、ｒ１及びＷ１は一緒に報告され、並びにワイドバンドＣＱＩ及びＷ２は一緒に報告される。代替的に、ｍｏｄｅ  １−１のサブモード２が構成される場合、ｒ１は別に報告され、並びにＷ１、Ｗ２、及びワイドバンドＣＱＩは一緒に報告される。
【０１０８】
代替的に、ＣＳＩ  ｐｒｏｃｅｓｓ  １については、ｍｏｄｅ  １−０が構成され、ｒａｎｋは、Ｒとして報告され、及びワイドバンドＣＱＩを報告するために元々使用されているビットは、第２のＣＳＩ−ＲＳ  ｐａｔｔｅｒｎに対応するワイドバンドＷ１（２）を報告するために使用され得る。
【０１０９】
ＣＳＩ  ｐｒｏｃｅｓｓ  ２については、ｍｏｄｅ  １−１が構成され、ｒ１が報告され、ｒ１がＲ以下であることが保証され、４  Ｔｘ  Ｗ２（２）がｒ１に基づき測定され、及び報告される。
【０１１０】
ＣＳＩ  ｐｒｏｃｅｓｓ  ３については、ｍｏｄｅ  １−１が構成され、ｒ２が報告され、（Ｒ／ｒ１）≦ｒ２≦Ｒであり、並びにＷ２（３）がｒ２に基づき測定を通じて得られ、及び報告される。それに加えて、ＣＱＩは、ｒ１、ｒ２、ＰＭＩ１、及びＰＭＩ２に基づき測定され、及び報告される。
【０１１１】
相互に関連付けられているＣＳＩ  ｐｒｏｃｅｓｓの上記のグループ、すなわち、第１のＣＳＩ  ｐｒｏｃｅｓｓ、第２のＣＳＩ  ｐｒｏｃｅｓｓ、及び第３のＣＳＩ  ｐｒｏｃｅｓｓは、バンドルされたＣＳＩ  ｐｒｏｃｅｓｓの数を基地局によって構成することによって得られるものとしてよい。
【０１１２】
たとえば、基地局は、５つのＣＳＩ  ｐｒｏｃｅｓｓを構成する、すなわち、
ＣＳＩ  ｐｒｏｃｅｓｓ  ０、ＣＳＩ  ｐｒｏｃｅｓｓ  １、ＣＳＩ  ｐｒｏｃｅｓｓ  ２、ＣＳＩ  ｐｒｏｃｅｓｓ  ３、及びＣＳＩ  ｐｒｏｃｅｓｓ  ４を構成し、ここで、ＣＳＩ  ｐｒｏｃｅｓｓ  ０、ＣＳＩ  ｐｒｏｃｅｓｓ  ２、及びＣＳＩ  ｐｒｏｃｅｓｓ  ３は、バンドルされ、及び相互に関連付けられた３つのＣＳＩ  ｐｒｏｃｅｓｓとして基地局によって構成される。既定で、順番に、ＣＳＩ  ｐｒｏｃｅｓｓ  ０は第１のＣＳＩ  ｐｒｏｃｅｓｓであり、ＣＳＩ  ｐｒｏｃｅｓｓ  ２は第２のＣＳＩ  ｐｒｏｃｅｓｓであり、ＣＳＩ  ｐｒｏｃｅｓｓ  ３は第３のＣＳＩ  ｐｒｏｃｅｓｓであるか、又はこれら３つのＣＳＩ  ｐｒｏｃｅｓｓにおける最大のアンテナ量を有するＣＳＩ  ｐｒｏｃｅｓｓは、第１のＣＳＩ  ｐｒｏｃｅｓｓであり、２番目に最大のアンテナ量を有するＣＳＩ  ｐｒｏｃｅｓｓは、第２のＣＳＩ  ｐｒｏｃｅｓｓであり、最小のアンテナ量を有するＣＳＩ  ｐｒｏｃｅｓｓは、第３のＣＳＩ  ｐｒｏｃｅｓｓであるか、又は最大のアンテナ量を有するＣＳＩ  ｐｒｏｃｅｓｓは、第１のＣＳＩ  ｐｒｏｃｅｓｓであり、残り２つのＣＳＩ  ｐｒｏｃｅｓｓにおいてより大きいｒａｎｋを有するＣＳＩは、第２のＣＳＩ  ｐｒｏｃｅｓｓであり、残りは、第３のＣＳＩ  ｐｒｏｃｅｓｓであると考えられ得る。
【０１１３】
【表２】
2018113711.tif 000015
【０１１４】
ここで、Ｔｙｐｅ  １：サポートＣＱＩフィードバック及びＵＥによって選択されたサブバンドフィードバックを報告する。
Ｔｙｐｅ  １ａ：サブバンドＣＱＩ及び第２のＰＭＩを報告する。
Ｔｙｐｅ  ２、Ｔｙｐｅ  ２ｂ、及びＴｙｐｅ  ２ｃ：ワイドバンドＣＱＩ及びＰＭＩフィードバックを報告する。
Ｔｙｐｅ  ２ａ：ワイドバンドＰＭＩを報告する。
Ｔｙｐｅ  ３：ＲＩを報告する。
Ｔｙｐｅ  ４ａ：ワイドバンドＣＱＩを報告する。
Ｔｙｐｅ  ５：ＲＩ及びワイドバンドＰＭＩを報告する。並びに
Ｔｙｐｅ  ６：ＲＩ及びＰＴＩを報告する。
【０１１５】
Ａ．３つのｎｏｎ  ｚｅｒｏ  ｐｏｗｅｒ  ＣＳＩ−ＲＳ  ｐａｔｔｅｒｎは、３つのＣＳＩ  ｐｒｏｃｅｓｓに対応する。３つのｐｒｏｃｅｓｓの間に相関が存在する。
【０１１６】
ｗｈｏｌｅ  ｒａｎｋは、第１のＣＳＩ−ＲＳ  ｐａｔｔｅｒｎに従って報告される（ＣＳＩ  ｐｒｏｃｅｓｓ  １、Ｘ１＝１６  Ｔｘ）。
【０１１７】
ｐａｒｔｉａｌ  ｒａｎｋ及びｐａｒｔｉａｌ  ＰＭＩは、第２のＣＳＩ−ＲＳ  ｐａｔｔｅｒｎに従って報告される（ＣＳＩ  ｐｒｏｃｅｓｓ  ２、Ｘ２＝４  Ｔｘ）。
【０１１８】
ｐａｒｔｉａｌ  ｒａｎｋ、ｐａｒｔｉａｌ  ＰＭＩ、及びＣＱＩは、第３のＣＳＩ−ＲＳ  ｐａｔｔｅｒｎに従って報告される（ＣＳＩ  ｐｒｏｃｅｓｓ  ３、Ｘ３＝４  Ｔｘ）。
【０１１９】
ＣＳＩ  ｐｒｏｃｅｓｓ１に対して、ｍｏｄｅ  １−０が構成される。Ｒ８におけるｍｏｄｅ  １−０は、ｔｙｐｅ  ３及びｔｙｐｅ  ４における内容がフィードバックされる、すなわち、ＲＩ（１）及びワイドバンドＣＱＩがフィードバックされるように構成され、並びにＲＩをフィードバックするためのビットの量が、テーブル３に示されている。代替的に、これは、ｔｙｐｅ  ４における内容のみがフィードバックされる、すなわち、ワイドバンドＣＱＩがフィードバックされるように構成され得る。
【０１２０】
この解決方法において、第１のＣＳＩ  ｐａｔｔｅｒｎのポートは、１６、３２、４８、６４、．．．、及び１２８個の送信アンテナであってよく、それぞれ、最大のＲＩ（１）  １６、３２、．．．、及び１２８に対応し、並びにＲＩ（１）はそれぞれ４ｂｉｔｓ、５ｂｉｔｓ、．．．、及び８ｂｉｔｓを必要とする。
【０１２１】
ａ１：ｍｏｄｅ  １−０におけるフィードバック内容が新たに定義され、ｔｙｐｅ  ３における内容のみがフィードバックされる、すなわち、ＲＩ（１）のみがフィードバックされ、モードはモードＡ１として定義されるか、又は複数のＣＳＩ  ｐｒｏｃｅｓｓのＲＩは一緒に報告される。別のｐｒｏｃｅｓｓでは、ＲＩは、報告される必要はない。
【０１２２】
代替的に、ｍｏｄｅ  １−０におけるフィードバック内容が定義され、並びにｔｙｐｅ  ３及びｔｙｐｅ  ４における内容がフィードバックされる、すなわち、ＲＩ（１）及びＣＱＩ（１）がフィードバックされ、モードは、モードＡ２として定義され、フィードバックされたＣＱＩ（１）は、ＣＲＳに基づき測定され、及び送信ダイバーシティ若しくは開ループｂｅａｍｆｏｒｍｉｎｇ送信解決方法を使用することによって計算されるＣＱＩである。
【０１２３】
代替的に、ｍｏｄｅ  １−０におけるフィードバック内容が定義され、並びにｔｙｐｅ  ３（ＲＩ）及びｔｙｐｅ  ４（ＣＱＩ）における内容がフィードバックされ、ここで、ｔｙｐｅ  ４におけるＣＱＩは、別のＣＳＩ  ｐｒｏｃｅｓｓで測定されたＣＱＩであり、モードは、モードＡ３として定義され、及びフィードバックされたＣＱＩ（２）は、第２のＣＳＩ−ＲＳ  ｐａｔｔｅｒｎに基づき計算されるか、又は第３のＣＳＩ−ＲＳ  ｐａｔｔｅｒｎに基づき計算されるＣＱＩである。
【０１２４】
【表３】
2018113711.tif 000016
【０１２５】
たとえば、図１７において、各グリッドは、サブフレームを表し、及び下の数字は、サブフレーム番号を表し、したがって、サブフレーム５の前で、第３のチャネル状態情報におけるＣＳＩの測定及び報告は、いかなる制限範囲内でも実行されない。一例としてＲＩが取られており、及びこの例における解決法は、ＰＭＩ及びＣＱＩにも適用される。たとえば、ＲＩ’（３）は、上記の制限範囲内で測定及び報告されず、並びにＰＭＩ’（３）及びＣＱＩ’（３）はＲＩ’（３）に基づき計算される。たとえば、ＲＩ’（３）が送信アンテナ量以下であることのみが必要とされ、及び他の制限条件はない。サブフレーム５の時点から、ＵＥでは、第３のチャネル状態情報の報告が、制限範囲内で開始されるべきであると考え、並びに従って、基地局に通知するｆｌａｇを報告し、及び次いで、制限範囲内でＣＳＩを測定し、及び報告することを開始する、すなわち、第５のサブフレームから報告され始めるＲＩ（３）は、制限範囲内で測定され、及び報告される第３のＲＩである。たとえば、第３のＲＩは、制限範囲を満たす、すなわち、ＲＩ（３）∈Ｃ２である。Ｃ２がｃｅｉｌ（ＲＩ（１）／ＲＩ（２））以下の正整数であり、ＲＩ（１）は第１のチャネル情報におけるＲＩであり、ＲＩ（２）は第２のチャネル情報におけるＲＩであり、ＲＩ（１）＝７、及びＲＩ（２）＝３であると仮定すると、ＲＩ（３）は、３未満の範囲内でのみ測定され、及び報告され得る。
【０１２６】
代替的に、図１８におけるｆｌａｇは、制限ＣＳＩ測定範囲及び制限ＣＳＩ報告範囲の変更をさらに表すものとしてよい。たとえば、ｆｌａｇが報告される前のＲＩ測定は、ＲＩ’（３）∈Ｃ１において実行される。たとえば、Ｃ１は、ｃｅｉｌ（ＲＩ（１）／ＲＩ（２））以上の正整数である。ｆｌａｇが報告された後、ＲＩ測定範囲は、ＲＩ（３）∈Ｃ２に変化する。たとえば、Ｃ２は、ｆｌｏｏｒ（ＲＩ（１）／ＲＩ（２））以上、及びＲＩ（１）未満の正整数である。
【０１２７】
上に提示されている例は、制限ＲＩ範囲である。図１９に示されているように、制限ＰＭＩ範囲での切り替えは下記に提示されている。ＰＭＩ（３）は、ｆｌａｇが報告される前に報告される。ＰＭＩ（３）の測定範囲は、ＰＭＩ（３）∈Ｃ３である。たとえば、Ｃ３は、アンテナポート量がＸ（３）であるＰＭＩのセットである。ＰＭＩ（４）の測定範囲は、ＰＭＩ（４）∈Ｃ４である。たとえば、Ｃ４は、アンテナポート量がＸ（１）であるＰＭＩのセットである。
【０１２８】
代替的に、ｆｌａｇは、図２０及び図２１に示されているように、上位層シグナリング又は動的シグナリングを使用することによって基地局によって構成され、及び
制限ＣＳＩ測定範囲のｆｌａｇは、第２のＲＩ、ＲＩ（２）に対しても固有である。
【０１２９】
本発明の一実施形態の別のチャネル測定方法は、基地局によって実行され、及び、
第２のＣＳＩを基地局によって取得するステップであって、ここで、第２のＣＳＩは、第１のチャネル情報に関連付けられ、並びに第１のチャネル情報は、下記の情報、すなわち、第１のチャネルの報告される第１のチャネル状態情報（ＣＳＩ）、基地局によって構成される第１のチャネルの第１のチャネル状態情報（ＣＳＩ）、及び第１のチャネルを測定するために使用される第１の測定構成情報のうちの１つ又は複数を含む、ステップを含む。
【０１３０】
第２のＣＳＩが、第１のチャネル情報に関連付けられていることは、
第２のＣＳＩにおける第２のＲＩが、第１のＣＳＩにおける第１のＲＩに関連付けられていることを含む。
【０１３１】
第２のＣＳＩにおける第２のＲＩが、第１のＣＳＩにおける第１のＲＩに関連付けられていることは、
第２のＲＩ≦第１のＲＩであること、又は第２のＲＩ＜第１のＲＩであることを含む。
【０１３２】
この方法は、
第３のＣＳＩを基地局によって取得するステップであって、ここで、第３のＣＳＩは、第１のＣＳＩ及び第２のＣＳＩのうちの少なくとも１つに関連付けられている、ステップをさらに含む。
【０１３３】
第３のＣＳＩが、第１のＣＳＩ及び第２のＣＳＩのうちの少なくとも１つに関連付けられていることは、
第３のＣＳＩにおける第３のＲＩが、第１のＣＳＩにおける第１のＲＩ及び第２のＣＳＩにおける第２のＲＩのうちの少なくとも１つに関連付けられていること、又は
第３のＣＳＩにおける第３のＲＩが、第１のＣＳＩにおける第１のＲＩ及び第２のチャネル情報における構成済みＲＩのうちの少なくとも１つに関連付けられていることを含む。
【０１３４】
第２のＣＳＩにおける第２のＲＩの測定範囲を決定する方式は、基地局の上位層シグナリング又は動的シグナリングを使用することによって通知される。
【０１３５】
第３のＣＳＩにおける第３のＲＩの測定範囲を決定する方式は、基地局の上位層シグナリング又は動的シグナリングを使用することによって通知される。たとえば、ＲＩ測定範囲を決定する複数の方式のうちの１つが選択され、そして上位層シグナリング又は動的シグナリングを使用することによって通知されるものとしてよく、及びＲＩ測定範囲を決定する複数の方式の間の切り替えが実行され得る。
【０１３６】
第３のＲＩの範囲は、
第３のＲＩ≦第１のＲＩ、若しくは第３のＲＩ＜第１のＲＩ、又は
第１のＲＩと第２のＲＩの商を丸めることによって得られる値≦第３のＲＩ≦第１のＲＩ、若しくは第１のＲＩと第２のＲＩの商を丸めることによって得られる値＜第３のＲＩ≦第１のＲＩ、若しくは第１のＲＩと第２のＲＩの商を丸めることによって得られる値≦第３のＲＩ＜第１のＲＩ、若しくは第１のＲＩと第２のＲＩの商を丸めることによって得られる値＜第３のＲＩ＜第１のＲＩ、ここで、丸めることは切り上げ若しくは切り捨てである、又は
第１のＲＩと第２のチャネル情報における構成済みＲＩの商を丸めることによって得られる値≦第３のＲＩ≦第１のＲＩ、若しくは第１のＲＩと第２のチャネル情報における構成済みＲＩの商を丸めることによって得られる値＜第３のＲＩ≦第１のＲＩ、若しくは第１のＲＩと第２のチャネル情報における構成済みＲＩの商を丸めることによって得られる値≦第３のＲＩ＜第１のＲＩ、若しくは第１のＲＩと第２のチャネル情報における構成済みＲＩの商を丸めることによって得られる値＜第３のＲＩ＜第１のＲＩ、ここで、丸めることは切り上げ若しくは切り捨てである、又は
第３のＲＩ≦第１のＲＩと第２のＲＩの商を丸めることによって得られる値、若しくは第３のＲＩ＜第１のＲＩと第２のＲＩの商を丸めることによって得られる値、ここで、丸めることは切り上げ若しくは切り捨てである、又は
第３のＲＩ≦第１のＲＩと構成済みＲＩの商を丸めることによって得られる値、若しくは第３のＲＩ＜第１のＲＩと構成済みＲＩの商を丸めることによって得られる値、ここで、丸めることは切り上げ若しくは切り捨てである、又は
第３のＲＩ＝第１のＲＩと第２のＲＩの商を丸めることによって得られる値、ここで、丸めることは切り上げ若しくは切り捨てである、又は
第３のＲＩ＝第１のＲＩと第２のチャネル情報における構成済みＲＩの商を丸めることによって得られる値、ここで、丸めることは切り上げ若しくは切り捨てであってよい、を含む。
【０１３７】
基地局によって取得される第３のＣＳＩは、第３のＰＭＩ及び／又は第４のＰＭＩを含み、ここで、
第３のＰＭＩのポート量は、第３の測定構成情報におけるパイロットのポート量であり、及び第３のＰＭＩのＲＩは、第３のＲＩであるか、又は
第４のＰＭＩのポート量は、第１の測定構成情報におけるパイロットのポート量であり、及び第４のＰＭＩのＲＩは、第１のＲＩであるか、又は
第４のＰＭＩのポート量は、第１の測定構成情報におけるパイロットのポート量であり、及び第４のＰＭＩのＲＩは、第２のＲＩであるか、又は
第４のＰＭＩのポート量は、第１の測定構成情報におけるパイロットのポート量であり、及び第４のＰＭＩのＲＩは、第３のＲＩであるか、又は
第４のＰＭＩのポート量は、第２の測定構成情報におけるパイロットのポート量と第３の測定構成情報におけるパイロットのポート量との積であり、及び第４のＰＭＩのＲＩは、第２のＲＩと第３のＲＩとの積であるか、若しくはｍｉｎ（第１のＲＩ、第２のＲＩと第３のＲＩとの積）であるか、又は
第４のＰＭＩのポート量は、第１の測定構成情報におけるパイロットのポート量であり、及び第４のＰＭＩのＲＩは、第２のＲＩと第３のＲＩとの積であるか、若しくはｍｉｎ（第１のＲＩ、第２のＲＩと第３のＲＩとの積）であり、ここで、ｍｉｎは、最小値を求める演算である。
【０１３８】
第４のＰＭＩに対応するプリコーディング行列は、第２のＰＭＩに対応するプリコーディング行列と第３のＰＭＩに対応するプリコーディング行列とのクロネッカー積であるか、又は
第４のＰＭＩに対応するプリコーディング行列は、第２のＰＭＩに対応するプリコーディング行列と第３のＰＭＩに対応するプリコーディング行列とのクロネッカー積に対して列選択を実行することによって得られる行列である。
【０１３９】
第２のＰＭＩは、第２のＣＳＩにおける、ポート量が第２の測定構成情報におけるパイロットのポート量である、ＰＭＩであり、及び第３のＰＭＩは、第３のＣＳＩにおける、ポート量が第３の測定構成情報におけるパイロットのポート量である、ＰＭＩである。
【０１４０】
第４のＰＭＩに対応するプリコーディング行列は、
第２のＰＭＩに対応するプリコーディング行列と第３のＰＭＩに対応するプリコーディング行列とのクロネッカー積内のＸ個の列、又は
第３のＰＭＩに対応するプリコーディング行列と第２のＰＭＩに対応するプリコーディング行列とのクロネッカー積内のＸ個の列である。
【０１４１】
第３のＣＳＩは、
第３のＰＭＩに従って決定される第３のＣＱＩ、及び／又は
第４のＰＭＩに従って決定される第４のＣＱＩをさらに含む。
【０１４２】
第１のＣＳＩは、
第１のＰＭＩであって、ここで、第１のＰＭＩに対応するプリコーディング行列Ｗ（１）がデュアルコードブック構造である、すなわち、Ｗ（１）＝Ｗ１（１）×Ｗ２（１）であるときに、第１のサブＰＭＩに対応するプリコーディング行列がＷ１（１）である、第１のＰＭＩ、又は
第２のＰＭＩであって、ここで、第２のＰＭＩは第２のＣＳＩ−ＲＳ  ｐａｔｔｅｒｎに対応するポートに従って報告されるＷ（２）に対応するプリコーディングインジケータ情報であり、基地局は、第１のＣＳＩ−ＲＳ  ｐａｔｔｅｒｎにおいて、第２のＣＳＩ−ＲＳ  ｐａｔｔｅｒｎに対応するポートの配置を指示し、及び基地局によって受信される第２のサブＰＭＩは、第２のＣＳＩ−ＲＳ  ｐａｔｔｅｒｎに対応するポートに従って報告されるロングタームワイドバンドのＷ１（２）に対応するプリコーディングインジケータ情報であり、ここで、Ｗ（２）＝Ｗ１（２）×Ｗ２（２）である、第２のＰＭＩ、並びに
第３のサブＰＭＩであって、ここで、基地局は、第１のＣＳＩ−ＲＳ  ｐａｔｔｅｒｎにおいて、第３のＣＳＩ−ＲＳ  ｐａｔｔｅｒｎに対応するポートの配置を指示し、及び基地局によって受信される第３のサブＰＭＩは、第３のＣＳＩ−ＲＳ  ｐａｔｔｅｒｎに対応するポートに従って報告されるロングタームワイドバンドのＷ１（３）に対応するプリコーディングインジケータ情報であり、ここで、Ｗ（３）＝Ｗ１（３）×Ｗ２（３）である、第３のサブＰＭＩ、を含み、並びに
第１のＣＳＩは、
第２のＰＭＩに対応するプリコーディング行列Ｗ（２）がデュアルコードブック構造である、すなわち、Ｗ（２）＝Ｗ１（２）×Ｗ２（２）であり、及び第３のＰＭＩに対応するプリコーディング行列Ｗ（３）がデュアルコードブック構造である、すなわち、Ｗ（３）＝Ｗ１（３）×Ｗ２（３）であるときに、Ｗ１（２）に対応する第２のＰＭＩ、Ｗ１（３）に対応する第３のＰＭＩ、及び第１のＲＩを含む。
【０１４３】
第１のＣＳＩにおける第１のＣＱＩは、
送信ダイバーシティ方式に基づき決定される第１のＣＱＩ、又は
開ループ空間多重化方式に基づき決定される第１のＣＱＩ、又は
第１のＰＭＩに基づき決定される第１のＣＱＩ、又は
固定されたＲＩの第１のＰＭＩに基づき決定される第１のＣＱＩ、又は
第１のＰＭＩに従って決定される第１のＣＱＩ、又は
第１のサブＰＭＩに従って決定される第１のＣＱＩ、又は
第２のＰＭＩに従って決定される第２のＣＱＩ、又は
第２のサブＰＭＩに従って決定される第２のＣＱＩ、又は
第３のＰＭＩに従って決定される第３のＣＱＩ、又は
第３のサブＰＭＩに従って決定され第３のＣＱＩを含む。
【０１４４】
基地局によって取得される第１のＣＳＩは、
第１のＲＩ、又は
第１のＲＩ及び第１のＣＱＩ、又は
第１のＲＩ及び第１のＰＭＩ、又は
第１のＲＩ、第１のＰＭＩ、及び第１のＣＱＩ、又は
第１のＲＩ及び第１のサブＰＭＩ、又は
第１のＲＩ、第１のサブＰＭＩ、及び第１のＣＱＩ、又は
第１のＲＩ及び第２のＰＭＩ、又は
第１のＲＩ、第２のＰＭＩ、及び第２のＣＱＩ、又は
第１のＲＩ及び第３のＰＭＩ、又は
第１のＲＩ、第３のＰＭＩ、及び第３のＣＱＩ、又は
第１のＲＩ及び第２のサブＰＭＩ、又は
第１のＲＩ、第２のサブＰＭＩ、及び第２のＣＱＩ、又は
第１のＲＩ及び第３のサブＰＭＩ、又は
第１のＲＩ、第３のサブＰＭＩ、及び第３のＣＱＩを含む。
【０１４５】
基地局によって取得される第３のＣＳＩは、
第３のＲＩ、第３のＰＭＩ、及び第３のＣＱＩ、又は
第３のＲＩ、第３のＰＭＩ、及び第３のＣＱＩと第１のＣＱＩとの差、又は
第３のＲＩ、第３のＰＭＩ、及び第３のＣＱＩと第２のＣＱＩとの差、若しくは第３のＲＩ、第３のＰＭＩ、第３のＣＱＩ、及び第４のＣＱＩ、又は
第３のＲＩ、第３のＰＭＩ、第３のＣＱＩ、及び第４のＣＱＩと第１のＣＱＩとの差、又は
第３のＲＩ、第３のＰＭＩ、第３のＣＱＩ、及び第４のＣＱＩと第３のＣＱＩとの差、又は
第３のＲＩ、第３のＰＭＩ、及び第４のＣＱＩ、又は
第３のＲＩ、第３のＰＭＩ、及び第４のＣＱＩと第１のＣＱＩとの差、又は
第３のＲＩ、第３のＰＭＩ、及び第４のＣＱＩと第２のＣＱＩとの差、又は
第３のＲＩ、第３のＰＭＩ、及び第４のＣＱＩと第３のＣＱＩとの差、又は
第３のＲＩ、第３のＰＭＩ、第４のＰＭＩ、第３のＣＱＩ、及び第４のＣＱＩ、又は
第３のＲＩ、第３のＰＭＩ、第４のＰＭＩ、第３のＣＱＩ、及び第４のＣＱＩと第１のＣＱＩとの差、又は
第３のＲＩ、第３のＰＭＩ、第４のＰＭＩ、第３のＣＱＩ、及び第４のＣＱＩと第２のＣＱＩとの差、又は
第３のＲＩ、第３のＰＭＩ、第４のＰＭＩ、第３のＣＱＩ、及び第４のＣＱＩと第３のＣＱＩとの差、又は
第３のＲＩ、第３のＰＭＩ、第４のＰＭＩ、及び第４のＣＱＩ、又は
第３のＲＩ、第３のＰＭＩ、第４のＰＭＩ、及び第４のＣＱＩと第１のＣＱＩとの差、又は
第３のＲＩ、第３のＰＭＩ、第４のＰＭＩ、及び第４のＣＱＩと第２のＣＱＩとの差、又は
第３のＲＩ、第３のＰＭＩ、第４のＰＭＩ、及び第４のＣＱＩと第３のＣＱＩとの差、又は
第３のＰＭＩ及び第３のＣＱＩ、又は
第３のＰＭＩ及び第３のＣＱＩと第１のＣＱＩとの差、又は
第３のＰＭＩ及び第３のＣＱＩと第２のＣＱＩとの差、若しくは第３のＲＩ、第３のＰＭＩ、第３のＣＱＩ、及び第４のＣＱＩ、又は
第３のＰＭＩ、第３のＣＱＩ、及び第４のＣＱＩと第１のＣＱＩとの差、又は
第３のＰＭＩ、第３のＣＱＩ、及び第４のＣＱＩと第３のＣＱＩとの差、又は
第３のＰＭＩ及び第４のＣＱＩ、又は
第３のＰＭＩ及び第４のＣＱＩと第１のＣＱＩとの差、又は
第３のＰＭＩ及び第４のＣＱＩと第２のＣＱＩとの差、又は
第３のＰＭＩ及び第４のＣＱＩと第３のＣＱＩとの差、又は
第３のＰＭＩ、第４のＰＭＩ、第３のＣＱＩ、及び第４のＣＱＩ、又は
第３のＰＭＩ、第４のＰＭＩ、第３のＣＱＩ、及び第４のＣＱＩと第１のＣＱＩとの差、又は
第３のＰＭＩ、第４のＰＭＩ、第３のＣＱＩ、及び第４のＣＱＩと第２のＣＱＩとの差、又は
第３のＰＭＩ、第４のＰＭＩ、第３のＣＱＩ、及び第４のＣＱＩと第３のＣＱＩとの差、又は
第３のＰＭＩ、第４のＰＭＩ、及び第４のＣＱＩ、又は
第３のＰＭＩ、第４のＰＭＩ、及び第４のＣＱＩと第１のＣＱＩとの差、又は
第３のＰＭＩ、第４のＰＭＩ、及び第４のＣＱＩと第２のＣＱＩとの差、又は
第３のＰＭＩ、第４のＰＭＩ、及び第４のＣＱＩと第３のＣＱＩとの差を含む。
【０１４６】
第３のＣＳＩは、
第１のＰＭＩに対応するプリコーディング行列Ｗ（１）がデュアルコードブック構造である、すなわち、Ｗ（１）＝Ｗ１（１）×Ｗ２（１）であるときに、Ｗ２（１）に対応する第４のＰＭＩ、又は
第３のＰＭＩに対応するプリコーディング行列Ｗ（３）がデュアルコードブック構造である、すなわち、Ｗ（３）＝Ｗ１（３）×Ｗ２（３）であるときに、Ｗ２（３）に対応する第３のＰＭＩ、又は
第２のＰＭＩに対応するプリコーディング行列Ｗ（２）がデュアルコードブック構造である、すなわち、Ｗ（２）＝Ｗ１（２）×Ｗ２（２）であり、及び第３のＰＭＩに対応するプリコーディング行列Ｗ（３）がデュアルコードブック構造である、すなわち、Ｗ（３）＝Ｗ１（３）×Ｗ２（３）であるときに、
Ｗ２（２）とＷ２（３）とのクロネッカー積を作ることによって得られる行列であるか、若しくはＷ２（２）とＷ２（３）とのクロネッカー積を作ることによって得られる行列に対して列選択を実行することによって得られる行列である第４のＰＭＩに対応するプリコーディング行列、又は
第２のＰＭＩに対応するプリコーディング行列Ｗ（２）がデュアルコードブック構造である、すなわち、Ｗ（２）＝Ｗ１（２）×Ｗ２（２）であり、及び
第３のＰＭＩに対応するプリコーディング行列Ｗ（３）がデュアルコードブック構造である、すなわち、Ｗ（３）＝Ｗ１（３）×Ｗ２（３）であるときに、
Ｗ１（２）とＷ１（３）とのクロネッカー積を作ることによって得られる行列であるか、若しくはＷ１（２）とＷ１（３）とのクロネッカー積を作ることによって得られる行列に対して列選択を実行することによって得られる行列である第４のＰＭＩに対応するプリコーディング行列をさらに含む。
【０１４７】
各ＣＳＩは、下記の情報、すなわち、ランク指示（ＲＩ）、プリコーディング行列インジケータ（ＰＭＩ）、プリコーディングタイプインジケータ（ＰＴＩ）、チャネル品質インジケータ（ＣＱＩ）、干渉指示、及び制限ＣＳＩ測定範囲の切り替えフラグのうちの１つ又は複数を含む。
【０１４８】
基地局によって構成される各測定構成情報は、下記の情報、すなわち、チャネル測定基準パイロットのパターン、チャネル測定基準パイロットのポート量、チャネル測定基準パイロットの電力情報、干渉測定基準リソースのパターン、及び干渉測定基準リソースに関する情報のうちの１つ又は複数を含む。
【０１４９】
第１の測定構成情報における第１のチャネル測定基準パイロットのパターン、第２の測定構成情報における第２のチャネル測定基準パイロットのパターン、及び第３の測定構成情報における第３のチャネル測定基準パイロットのパターンは、
第２のチャネル測定基準パイロットのパターンが、第１のチャネル測定基準パイロットのパターンのサブセットであるということと、
第３のチャネル測定基準パイロットのパターンが、第１のチャネル測定基準パイロットのパターンのサブセットであるということとを満たす。
【０１５０】
第１の測定構成情報における第１のチャネル測定基準パイロットのポート、第２の測定構成情報における第２のチャネル測定基準パイロットのポート、及び第３の測定構成情報における第３のチャネル測定基準パイロットのポートは、
第１のチャネル測定基準パイロットのポート量が、第２のチャネル測定基準パイロットのポート量と第３のチャネル測定基準パイロットのポート量との積であるということを満たす。
【０１５１】
第２のチャネル測定基準パイロットのポート量は、第３のチャネル測定基準パイロットのポート量以上である。
【０１５２】
第２のチャネル情報におけるｒａｎｋは、第３のチャネル情報におけるｒａｎｋ以上である。
【０１５３】
第１のチャネル測定基準パイロットの送信周期は、チャネル測定基準パイロットの送信周期の整数倍であり、及び第１のチャネル測定基準パイロットの送信周期は、第３のチャネル測定基準パイロットの送信周期の整数倍である。
【０１５４】
第１のチャネルに関する測定、第２のチャネルに関する測定、及び第３のチャネルに関する測定は、第１のＣＳＩプロセス、第２のＣＳＩプロセス、及び第３のＣＳＩプロセスにそれぞれ対応し、ここで、
第１のＣＳＩプロセスに対して構成されているＲＩ報告周期は、第２のＣＳＩプロセスに対して構成されているＲＩ報告周期の第１の整数倍であり、及び第１のＣＳＩプロセスに対して構成されているＲＩ報告周期は、第３のＣＳＩプロセスに対して構成されているＲＩ報告周期の第１の整数倍であり、
第１のＣＳＩプロセスに対して構成されているＰＭＩ報告周期は、第２のＣＳＩプロセスに対して構成されているＰＭＩ報告周期の第２の整数倍であり、及び第１のＣＳＩプロセスに対して構成されているＰＭＩ報告周期は、第３のＣＳＩプロセスに対して構成されているＰＭＩ報告周期の第２の整数倍であり、並びに
第１のＣＳＩプロセスに対して構成されているＣＱＩ報告周期は、第２のＣＳＩプロセスに対して構成されている報告ＣＱＩ周期の第３の整数倍であり、及び第１のＣＳＩプロセスに対して構成されているＣＱＩ報告周期は、第３のＣＳＩプロセスに対して構成されている報告ＣＱＩ周期の第３の整数倍である。
【０１５５】
制限ＣＳＩ測定範囲が使用される、バンドルされたＣＳＩプロセスの数は、基地局の上位層シグナリング又は動的シグナリングを使用することによって構成される。
【０１５６】
基地局は、端末によって報告される、制限ＣＳＩ測定範囲が使用される必要があることを指示するＣＳＩ測定フラグを受信する。
【０１５７】
基地局は、制限ＣＳＩ測定範囲が使用されないときに得られるＣＳＩ情報を最初に受信し、次いで、制限ＣＳＩ測定範囲が使用される必要があることを指示する制限測定フラグを受信し、及び、次いで、制限ＣＳＩ測定範囲が使用されるときに得られるＣＳＩ情報を受信する。
【０１５８】
基地局は、第１の制限ＣＳＩ測定範囲が使用されるときに得られるＣＳＩ情報を最初に受信し、次いで、第２の制限ＣＳＩ測定範囲が使用される必要があることを指示する制限測定フラグを受信し、及び、次いで、第２の制限ＣＳＩ測定範囲が使用されるときに得られるＣＳＩ情報を受信する。
【０１５９】
基地局は、制限ＣＳＩ測定範囲が使用されないときに得られるＣＳＩ情報を最初に受信し、次いで、基地局は、上位層シグナリング又は動的シグナリングを使用することによって、制限ＣＳＩ測定範囲が使用される必要があることを指示する制限測定フラグを通知し、及び、次いで、基地局は、ＵＥによって報告される、制限ＣＳＩ測定範囲が使用されるときに得られるＣＳＩ情報を受信する。
【０１６０】
基地局は、第１の制限ＣＳＩ測定範囲が使用されるときに得られるＣＳＩ情報を最初に受信し、次いで、基地局は、上位層シグナリング又は動的シグナリングを使用することによって、第２の制限ＣＳＩ測定範囲が使用される必要があることを指示する制限測定フラグを通知し、及び、次いで、基地局は、ＵＥによって報告される、第２の制限ＣＳＩ測定範囲が使用されるときに得られるＣＳＩ情報を受信する。
【０１６１】
ＣＳＩ測定範囲を制限するステップは、ＲＩ測定範囲を制限するステップ、又は報告されるＰＭＩのアンテナポート量を制限するステップを含む。
【０１６２】
本発明の一実施形態における端末デバイスが図２２に示されており、
第１のチャネル情報を取得するように構成された、チャネル情報取得ユニット２２１０であって、ここで、第１のチャネル情報は、下記の情報、すなわち、第１のチャネルの第１のチャネル状態情報（ＣＳＩ）、及び第１のチャネルを測定するために使用される第１の測定構成情報のうちの１つ又は複数を含む、チャネル情報取得ユニット２２１０と、
基地局によって送信され、及び第２のチャネルを測定するために使用される、第２の測定構成情報を受信するように構成された構成情報受信ユニット２２２０と、
第１のチャネル情報及び第２の測定構成情報に従って第２のチャネルを測定し、第２のＣＳＩを取得するように構成されたチャネル測定ユニット２２３０とを備える。
【０１６３】
図２３に示されているように、この実施形態では、チャネル測定ユニット２２３０は、
第１のチャネル情報に従って、第２のチャネルを測定するための第２のＣＳＩ範囲を決定するように構成された第２のＣＳＩ範囲決定ユニット２３１０と、
第２の測定構成情報に従って、第２のチャネルを測定するための第２のＣＳＩ範囲内で第２のチャネルを測定するように構成された第２のチャネル測定ユニット２３２０とを具体的に備える。
【０１６４】
第２のＣＳＩ範囲決定ユニット２３１０は、第１のチャネル情報における第１のＣＳＩに従って、第２のチャネルを測定するための第２のＣＳＩ範囲を決定するように構成され、及び第１のＣＳＩにおける第１のＲＩに従って第２のＣＳＩにおける第２のＲＩの範囲を決定するように具体的に構成され得る。第１のＣＳＩは、基地局によって構成される情報であるか、又は第１の測定構成情報に従って端末によって測定され、及び報告される情報である。第２のＲＩの範囲≦第１のＲＩ、又は第２のＲＩの範囲＜第１のＲＩである。
【０１６５】
この実施形態における端末デバイスでは、構成情報受信ユニット２２２０は、第３のチャネルを測定するために使用される第３の測定構成情報を受信するようにさらに構成される。チャネル測定ユニット２２３０は、第１のチャネル情報及び第２のチャネル情報のうちの少なくとも１つに従って、及び第３の測定構成情報に従って、第３のチャネルを測定し、第３のＣＳＩを取得するようにさらに構成される。第２のチャネル情報は、第２のチャネルを測定することによって得られる第２のＣＳＩ、又は基地局によって構成された構成済みＣＳＩを含む。
【０１６６】
図２４に示されているように、チャネル測定ユニット２２３０は、
第１のチャネル情報及び第２のチャネル情報のうちの少なくとも１つに従って、第３のチャネルを測定するためのＣＳＩ範囲を決定するように構成された第３のＣＳＩ範囲決定ユニット２４１０であって、ここで、第３のＣＳＩ範囲決定ユニット２４１０は、第１のＣＳＩ及び第２のＣＳＩのうちの少なくとも１つに従って、第３のチャネルを測定するためのＣＳＩ範囲を決定するか、又は第１のＣＳＩ及び第２のチャネル情報において構成されているＣＳＩのうちの少なくとも１つに従って、第３のチャネルを測定するためのＣＳＩ範囲を決定するように具体的に構成されている、第３のＣＳＩ範囲決定ユニット２４１０と、
第３の測定構成情報に従って、第３のチャネルを測定するためのＣＳＩ範囲内で第３のチャネルを測定するように構成された第３のチャネル測定ユニット２４２０とをさらに備える。
【０１６７】
より具体的には、第３のＣＳＩ範囲決定ユニット２４１０は、第１のＣＳＩにおける第１のＲＩ及び第２のＣＳＩにおける第２のＲＩのうちの少なくとも１つに従って第３のＣＳＩにおける第３のＲＩの範囲を決定するか、又は第１のＣＳＩにおける第１のＲＩ及び第２のチャネル情報における構成済みＲＩのうちの少なくとも１つに従って第３のＣＳＩにおける第３のＲＩの範囲を決定するように具体的に構成される。第３のＲＩの範囲を決定する方式は固定されるか、又は基地局の上位層シグナリング若しくは動的シグナリングを使用することによって通知される。
【０１６８】
この実施形態では、第３のＲＩの範囲は、
第３のＲＩ≦第１のＲＩ、若しくは第３のＲＩ＜第１のＲＩ、又は
第１のＲＩと第２のＲＩの商を丸めることによって得られる値≦第３のＲＩ≦第１のＲＩ、若しくは第１のＲＩと第２のＲＩの商を丸めることによって得られる値＜第３のＲＩ≦第１のＲＩ、若しくは第１のＲＩと第２のＲＩの商を丸めることによって得られる値≦第３のＲＩ＜第１のＲＩ、若しくは第１のＲＩと第２のＲＩの商を丸めることによって得られる値＜第３のＲＩ＜第１のＲＩ、ここで、丸めることは切り上げ若しくは切り捨てである、又は
第１のＲＩと第２のチャネル情報における構成済みＲＩの商を丸めることによって得られる値≦第３のＲＩ≦第１のＲＩ、若しくは第１のＲＩと第２のチャネル情報における構成済みＲＩの商を丸めることによって得られる値＜第３のＲＩ≦第１のＲＩ、若しくは第１のＲＩと第２のチャネル情報における構成済みＲＩの商を丸めることによって得られる値≦第３のＲＩ＜第１のＲＩ、若しくは第１のＲＩと第２のチャネル情報における構成済みＲＩの商を丸めることによって得られる値＜第３のＲＩ＜第１のＲＩ、ここで、丸めることは切り上げ若しくは切り捨てである、又は
第３のＲＩ≦第１のＲＩと第２のＲＩの商を丸めることによって得られる値、若しくは第３のＲＩ＜第１のＲＩと第２のＲＩの商を丸めることによって得られる値、ここで、丸めることは切り上げ若しくは切り捨てである、又は
第３のＲＩ≦第１のＲＩと第２のチャネル情報における構成済みＲＩの商を丸めることによって得られる値、若しくは第３のＲＩ＜第１のＲＩと第２のチャネル情報における構成済みＲＩの商を丸めることによって得られる値、ここで、丸めることは切り上げ若しくは切り捨てである、又は
第３のＲＩ＝第１のＲＩと第２のＲＩの商を丸めることによって得られる値、ここで、丸めることは切り上げ若しくは切り捨てである、又は
第３のＲＩ＝第１のＲＩと第２のチャネル情報における構成済みＲＩの商を丸めることによって得られる値、ここで、丸めることは切り上げ若しくは切り捨てであってよい、を含む。
【０１６９】
この実施形態では、第３のチャネル測定ユニット２４２０は、
第３のＣＳＩにおけるＰＭＩを決定するように構成されたＰＭＩ決定ユニットであって、ここで、第３のＣＳＩにおけるＰＭＩは、第３のＰＭＩ及び／又は第４のＰＭＩを含む、ＰＭＩ決定ユニットを備え、ここで、ＰＭＩ決定ユニットは、第３の測定構成情報及び第３のＲＩに従って第３のＰＭＩを決定し、ここで、第３のＰＭＩのポート量は、第３の測定構成情報におけるパイロットのポート量であり、及びＲＩは、第３のＲＩであるか、又は
第１のチャネル情報に従って第４のＰＭＩを決定し、ここで、第４のＰＭＩのポート量は、第１の測定構成情報におけるパイロットのポート量であり、及びＲＩは、第１のＲＩであるか、又は
第１のチャネル情報及び第２のチャネル情報に従って第４のＰＭＩを決定し、ここで、第４のＰＭＩのポート量は、第１の測定構成情報におけるパイロットのポート量であり、及びＲＩは、第２のＲＩであるか、又は
第１のチャネル情報及び第３のチャネル情報に従って第４のＰＭＩを決定し、ここで、第４のＰＭＩのポート量は、第１の測定構成情報におけるパイロットのポート量であり、及びＲＩは、第３のＲＩであるか、又は
第２のチャネル情報及び第３のチャネル情報に従って第４のＰＭＩを決定し、ここで、第４のＰＭＩのポート量は、第２の測定構成情報におけるパイロットのポート量と第３の測定構成情報におけるパイロットのポート量との積であり、及びＲＩは、第２のＲＩと第３のＲＩとの積であるか、若しくはｍｉｎ（第１のＲＩ、第２のＲＩと第３のＲＩとの積）であるか、又は
第１のチャネル情報、第２のチャネル情報、及び第３のチャネル情報に従って第４のＰＭＩを決定し、ここで、第４のＰＭＩのポート量は、第１の測定構成情報におけるパイロットのポート量であり、及びＲＩは、第２のＲＩと第３のＲＩとの積であるか、若しくはｍｉｎ（第１のＲＩ、第２のＲＩと第３のＲＩとの積）であり、ここで、ｍｉｎは、最小値を求める演算である、ように具体的に構成される。
【０１７０】
第４のＰＭＩに対応するプリコーディング行列は、第２のＰＭＩに対応するプリコーディング行列と第３のＰＭＩに対応するプリコーディング行列とのクロネッカー積であるか、又は第４のＰＭＩに対応するプリコーディング行列は、第２のＰＭＩに対応するプリコーディング行列と第３のＰＭＩに対応するプリコーディング行列とのクロネッカー積に対して列選択を実行することによって得られる行列であり、これは具体的に、
第２のＰＭＩに対応するプリコーディング行列と第３のＰＭＩに対応するプリコーディング行列とのクロネッカー積内のＸ個の列、又は
第３のＰＭＩに対応するプリコーディング行列と第２のＰＭＩに対応するプリコーディング行列とのクロネッカー積内のＸ個の列であってよい。
【０１７１】
この実施形態では、第３のチャネル測定ユニット２４２０は、第３のＰＭＩに従って第３のＣＱＩを決定するか、又は第４のＰＭＩに従って第４のＣＱＩを決定するように構成されたＣＱＩ決定ユニットをさらに備える。
【０１７２】
図２５に示されているように、この実施形態では、チャネル測定ユニット２２３０は、
第１のチャネルを測定するように構成され、及び
第１の測定構成情報に従って送信ダイバーシティ方式に基づき第１のＣＱＩを決定するか、又は
第１の測定構成情報に従って開ループ空間多重化方式に基づき第１のＣＱＩを決定するか、又は
第１の測定構成情報に従って第１のＰＭＩに基づき第１のＣＱＩを決定するか、又は
第１の測定構成情報に従って固定されたＲＩを有する第１のＰＭＩに基づき第１のＣＱＩを決定する、ように具体的に構成された第１のチャネル測定ユニット２５１０をさらに備える。
【０１７３】
図２６に示されているように、この実施形態における端末デバイスは、報告ユニット２６１０をさらに備える。報告ユニット２６１０は、第１のチャネルにおいて第１のＣＳＩを報告するように構成された第１のチャネル報告ユニットを備え、ここで、第１のＣＳＩは、
第１のＲＩ、又は
第１のＲＩ及び第１のＣＱＩ、又は
第１のＲＩ及び第１のＰＭＩ、又は
第１のＲＩ、第１のＰＭＩ、及び第１のＣＱＩ、又は
第１のＲＩ及び第１のサブＰＭＩ、又は
第１のＲＩ、第１のサブＰＭＩ、及び第１のＣＱＩ、又は
第１のＲＩ及び第２のＰＭＩ、又は
第１のＲＩ、第２のＰＭＩ、及び第２のＣＱＩ、又は
第１のＲＩ及び第３のＰＭＩ、又は
第１のＲＩ、第３のＰＭＩ、及び第３のＣＱＩ、又は
第１のＲＩ及び第２のサブＰＭＩ、又は
第１のＲＩ、第２のサブＰＭＩ、及び第２のＣＱＩ、又は
第１のＲＩ及び第３のサブＰＭＩ、又は
第１のＲＩ、第３のサブＰＭＩ、及び第３のＣＱＩを含む。
【０１７４】
第１のチャネル報告ユニットが、第１のサブＰＭＩを報告するときに、第１のＰＭＩに対応するプリコーディング行列Ｗ（１）がデュアルコードブック構造である、すなわち、Ｗ（１）＝Ｗ１（１）×Ｗ２（１）であるときに、第１のサブＰＭＩに対応するプリコーディング行列は、Ｗ１（１）である。
【０１７５】
第１のチャネル報告ユニットが、第２のサブＰＭＩを報告するときに、第２のＣＳＩ−ＲＳ  ｐａｔｔｅｒｎに対応するポートに従って報告されるＷ（２）に対応するプリコーディングインジケータ情報は、第２のＰＭＩである。
【０１７６】
第１のチャネル報告ユニットが、第３のサブＰＭＩを報告するときに、第２のＣＳＩ−ＲＳ  ｐａｔｔｅｒｎに対応するポートの配置は、第１のＣＳＩ−ＲＳ  ｐａｔｔｅｒｎで指示され、及び第２のＣＳＩ−ＲＳ  ｐａｔｔｅｒｎに対応するポートに従って報告されるロングタームワイドバンドのＷ１（２）に対応するプリコーディングインジケータ情報は、第２のサブＰＭＩであり、ここで、Ｗ（２）＝Ｗ１（２）×Ｗ２（２）である。
【０１７７】
第１のチャネル報告ユニットが、第３のサブＰＭＩを報告するときに、第３のＣＳＩ−ＲＳ  ｐａｔｔｅｒｎに対応するポートの配置は、第１のＣＳＩ−ＲＳ  ｐａｔｔｅｒｎで指示され、及び第３のＣＳＩ−ＲＳ  ｐａｔｔｅｒｎに対応するポートに従って報告されるロングタームワイドバンドのＷ１（３）に対応するプリコーディングインジケータ情報は、第３のサブＰＭＩであり、ここで、Ｗ（３）＝Ｗ１（３）×Ｗ２（３）である。
【０１７８】
第２のサブＰＭＩを報告するときに、第１のチャネル報告ユニットは、第２のＰＭＩに対応するプリコーディング行列Ｗ（２）がデュアルコードブック構造である、すなわち、Ｗ（２）＝Ｗ１（２）×Ｗ２（２）であり、及び第３のＰＭＩに対応するプリコーディング行列Ｗ（３）がデュアルコードブック構造である、すなわち、Ｗ（３）＝Ｗ１（３）×Ｗ２（３）であるときに、Ｗ１（２）に対応する第２のＰＭＩ、Ｗ１（３）に対応する第３のＰＭＩ、及び第１のＲＩを報告するように具体的に構成される。
【０１７９】
報告ユニット２６１０は、第３のチャネルの第３のＣＳＩを報告するように構成された第３のチャネル報告ユニットをさらに備え、ここで、第３のＣＳＩは、
第３のＲＩ、第３のＰＭＩ、及び第３のＣＱＩ、又は
第３のＲＩ、第３のＰＭＩ、及び第３のＣＱＩと第１のＣＱＩとの差、又は
第３のＲＩ、第３のＰＭＩ、及び第３のＣＱＩと第２のＣＱＩとの差、若しくは第３のＲＩ、第３のＰＭＩ、第３のＣＱＩ、及び第４のＣＱＩ、又は
第３のＲＩ、第３のＰＭＩ、第３のＣＱＩ、及び第４のＣＱＩと第１のＣＱＩとの差、又は
第３のＲＩ、第３のＰＭＩ、第３のＣＱＩ、及び第４のＣＱＩと第３のＣＱＩとの差、又は
第３のＲＩ、第３のＰＭＩ、及び第４のＣＱＩ、又は
第３のＲＩ、第３のＰＭＩ、及び第４のＣＱＩと第１のＣＱＩとの差、又は
第３のＲＩ、第３のＰＭＩ、及び第４のＣＱＩと第２のＣＱＩとの差、又は
第３のＲＩ、第３のＰＭＩ、及び第４のＣＱＩと第３のＣＱＩとの差、又は
第３のＲＩ、第３のＰＭＩ、第４のＰＭＩ、第３のＣＱＩ、及び第４のＣＱＩ、又は
第３のＲＩ、第３のＰＭＩ、第４のＰＭＩ、第３のＣＱＩ、及び第４のＣＱＩと第１のＣＱＩとの差、又は
第３のＲＩ、第３のＰＭＩ、第４のＰＭＩ、第３のＣＱＩ、及び第４のＣＱＩと第２のＣＱＩとの差、又は
第３のＲＩ、第３のＰＭＩ、第４のＰＭＩ、第３のＣＱＩ、及び第４のＣＱＩと第３のＣＱＩとの差、又は
第３のＲＩ、第３のＰＭＩ、第４のＰＭＩ、及び第４のＣＱＩ、又は
第３のＲＩ、第３のＰＭＩ、第４のＰＭＩ、及び第４のＣＱＩと第１のＣＱＩとの差、又は
第３のＲＩ、第３のＰＭＩ、第４のＰＭＩ、及び第４のＣＱＩと第２のＣＱＩとの差、又は
第３のＲＩ、第３のＰＭＩ、第４のＰＭＩ、及び第４のＣＱＩと第３のＣＱＩとの差、又は
第３のＰＭＩ及び第３のＣＱＩ、又は
第３のＰＭＩ及び第３のＣＱＩと第１のＣＱＩとの差、又は
第３のＰＭＩ及び第３のＣＱＩと第２のＣＱＩとの差、若しくは第３のＲＩ、第３のＰＭＩ、第３のＣＱＩ、及び第４のＣＱＩ、又は
第３のＰＭＩ、第３のＣＱＩ、及び第４のＣＱＩと第１のＣＱＩとの差、又は
第３のＰＭＩ、第３のＣＱＩ、及び第４のＣＱＩと第３のＣＱＩとの差、又は
第３のＰＭＩ及び第４のＣＱＩ、又は
第３のＰＭＩ及び第４のＣＱＩと第１のＣＱＩとの差、又は
第３のＰＭＩ及び第４のＣＱＩと第２のＣＱＩとの差、又は
第３のＰＭＩ及び第４のＣＱＩと第３のＣＱＩとの差、又は
第３のＰＭＩ、第４のＰＭＩ、第３のＣＱＩ、及び第４のＣＱＩ、又は
第３のＰＭＩ、第４のＰＭＩ、第３のＣＱＩ、及び第４のＣＱＩと第１のＣＱＩとの差、又は
第３のＰＭＩ、第４のＰＭＩ、第３のＣＱＩ、及び第４のＣＱＩと第２のＣＱＩとの差、又は
第３のＰＭＩ、第４のＰＭＩ、第３のＣＱＩ、及び第４のＣＱＩと第３のＣＱＩとの差、又は
第３のＰＭＩ、第４のＰＭＩ、及び第４のＣＱＩ、又は
第３のＰＭＩ、第４のＰＭＩ、及び第４のＣＱＩと第１のＣＱＩとの差、又は
第３のＰＭＩ、第４のＰＭＩ、及び第４のＣＱＩと第２のＣＱＩとの差、又は
第３のＰＭＩ、第４のＰＭＩ、及び第４のＣＱＩと第３のＣＱＩとの差を含む。
【０１８０】
第３のチャネル報告ユニットは、第１のＰＭＩに対応するプリコーディング行列Ｗ（１）がデュアルコードブック構造である、すなわち、Ｗ（１）＝Ｗ１（１）×Ｗ２（１）であるときに、Ｗ２（１）に対応する第４のＰＭＩを報告するか、又は
第３のＰＭＩに対応するプリコーディング行列Ｗ（３）がデュアルコードブック構造である、すなわち、Ｗ（３）＝Ｗ１（３）×Ｗ２（３）であるときに、Ｗ２（３）に対応する第３のＰＭＩを報告するか、又は
第２のＰＭＩに対応するプリコーディング行列Ｗ（２）がデュアルコードブック構造である、すなわち、Ｗ（２）＝Ｗ１（２）×Ｗ２（２）であり、及び第３のＰＭＩに対応するプリコーディング行列Ｗ（３）がデュアルコードブック構造である、すなわち、Ｗ（３）＝Ｗ１（３）×Ｗ２（３）であるときに、
第４のＰＭＩを報告し、ここで、第４のＰＭＩに対応するプリコーディング行列は、Ｗ２（２）とＷ２（３）とのクロネッカー積を作ることによって得られる行列であるか、若しくはＷ２（２）とＷ２（３）とのクロネッカー積を作ることによって得られる行列に対して列選択を実行することによって得られる行列であり、又は
第２のＰＭＩに対応するプリコーディング行列Ｗ（２）がデュアルコードブック構造である、すなわち、Ｗ（２）＝Ｗ１（２）×Ｗ２（２）であり、及び
第３のＰＭＩに対応するプリコーディング行列Ｗ（３）がデュアルコードブック構造である、すなわち、Ｗ（３）＝Ｗ１（３）×Ｗ２（３）であるときに、
第４のＰＭＩを報告し、ここで、第４のＰＭＩに対応するプリコーディング行列は、Ｗ１（２）とＷ１（３）とのクロネッカー積を作ることによって得られる行列であるか、若しくはＷ１（２）とＷ１（３）とのクロネッカー積を作ることによって得られる行列に対して列選択を実行することによって得られる行列である、ように具体的に構成される。
【０１８１】
この実施形態では、各ＣＳＩは、下記の情報、すなわち、ランク指示（ＲＩ）、プリコーディング行列インジケータ（ＰＭＩ）、プリコーディングタイプインジケータ（ＰＴＩ）、チャネル品質インジケータ（ＣＱＩ）、干渉指示、及び制限ＣＳＩ測定範囲の切り替えフラグのうちの１つ又は複数を含む。
【０１８２】
各測定構成情報は、下記の情報、すなわち、チャネル測定基準パイロットのパターン、チャネル測定基準パイロットのポート量、チャネル測定基準パイロットの電力情報、干渉測定基準リソースのパターン、及び干渉測定基準リソースに関する情報のうちの１つ又は複数を含む。
【０１８３】
第１の測定構成情報における第１のチャネル測定基準パイロットのパターン、第２の測定構成情報における第２のチャネル測定基準パイロットのパターン、及び第３の測定構成情報における第３のチャネル測定基準パイロットのパターンは、
第２のチャネル測定基準パイロットのパターンが、第１のチャネル測定基準パイロットのパターンのサブセットであるということと、
第３のチャネル測定基準パイロットのパターンが、第１のチャネル測定基準パイロットのパターンのサブセットであるということとを満たす。
【０１８４】
第１の測定構成情報における第１のチャネル測定基準パイロットのポート、第２の測定構成情報における第２のチャネル測定基準パイロットのポート、及び第３の測定構成情報における第３のチャネル測定基準パイロットのポートは、
第１のチャネル測定基準パイロットのポート量が、第２のチャネル測定基準パイロットのポート量と第３のチャネル測定基準パイロットのポート量との積であるということを満たす。
【０１８５】
第２のチャネル測定基準パイロットのポート量は、第３のチャネル測定基準パイロットのポート量以上である。
【０１８６】
第２のチャネル情報におけるｒａｎｋは、第３のチャネル情報におけるｒａｎｋ以上である。
【０１８７】
この実施形態では、第１のチャネル測定基準パイロットの送信周期は、チャネル測定基準パイロットの送信周期の整数倍であり、及び第１のチャネル測定基準パイロットの送信周期は、第３のチャネル測定基準パイロットの送信周期の整数倍である。
【０１８８】
第１のチャネル情報は、第１のＳＣＩを含み、第１のチャネル情報を端末によって取得するステップは、
基地局によって送信された第１の測定構成情報を端末によって受信するステップと、
第１の測定構成情報に従って第１のチャネルを測定し、第１のＣＳＩを取得するステップとを含む。
【０１８９】
第１のチャネルに関する測定、第２のチャネルに関する測定、及び第３のチャネルに関する測定は、第１のＣＳＩプロセス、第２のＣＳＩプロセス、及び第３のＣＳＩプロセスにそれぞれ対応する。
【０１９０】
この実施形態では、第１、第２、及び第３のＣＳＩプロセスに対する報告手順において、
第１のＣＳＩプロセスに対するＲＩを報告する周期は、第２のＣＳＩプロセスに対するＲＩを報告する周期の第１の整数倍であり、及び第１のＣＳＩプロセスに対するＲＩを報告する周期は、第３のＣＳＩプロセスに対するＲＩを報告する周期の第１の整数倍であり、
第１のＣＳＩプロセスに対するＰＭＩを報告する周期は、第２のＣＳＩプロセスに対するＰＭＩを報告する周期の第２の整数倍であり、及び第１のＣＳＩプロセスに対するＰＭＩを報告する周期は、第３のＣＳＩプロセスに対するＰＭＩを報告する周期の第２の整数倍であり、
第１のＣＳＩプロセスに対するＣＱＩを報告する周期は、第２のＣＳＩプロセスに対するＣＱＩを報告する周期の第３の整数倍であり、及び第１のＣＳＩプロセスに対するＣＱＩを報告する周期は、第３のＣＳＩプロセスに対するＣＱＩを報告する周期の第３の整数倍である。
【０１９１】
この実施形態における端末デバイスが制限ＣＳＩ測定範囲を使用する、バンドルされたＣＳＩプロセスの数は、基地局の上位層シグナリング又は動的シグナリングによって構成される。
【０１９２】
報告ユニット２６１０は、制限ＣＳＩ測定範囲を使用するかどうかを指示するＣＳＩ測定フラグを報告するようにさらに構成される。
【０１９３】
報告ユニット２６１０は、制限ＣＳＩ測定範囲が使用されないときに得られるＣＳＩ情報を最初に報告し、次いで、制限ＣＳＩ測定範囲が使用される必要があることを指示する制限測定フラグを報告し、及び、次いで、制限ＣＳＩ測定範囲が使用されるときに得られるＣＳＩ情報を報告するようにさらに構成される。
【０１９４】
報告ユニット２６１０は、第１の制限ＣＳＩ測定範囲が使用されるときに得られるＣＳＩ情報を最初に報告し、次いで、第２の制限ＣＳＩ測定範囲が使用される必要があることを指示する制限測定フラグを報告し、及び、次いで、第２の制限ＣＳＩ測定範囲が使用されるときに得られるＣＳＩ情報を報告するようにさらに構成される。
【０１９５】
報告ユニット２６１０は、制限ＣＳＩ測定範囲が使用されないときに得られるＣＳＩ情報を最初に報告し、及び、次いで、制限ＣＳＩ測定範囲が使用される必要があることを指示する制限測定フラグを受信し、これは、上位層シグナリング又は動的シグナリングを使用することによって基地局によって通知され、及び、次いで、制限ＣＳＩ測定範囲が使用されるときに取得されるＣＳＩ情報を、ＵＥによって報告するようにさらに構成される。
【０１９６】
報告ユニット２６１０は、第１の制限ＣＳＩ測定範囲が使用されるときに得られるＣＳＩ情報を最初に報告し、及び、次いで、第２の制限ＣＳＩ測定範囲が使用される必要があることを指示する制限測定フラグを受信し、これは、上位層シグナリング又は動的シグナリングを使用することによって基地局によって通知され、及び、次いで、第２の制限ＣＳＩ測定範囲が使用されるときに取得されるＣＳＩ情報を、ＵＥによって報告するようにさらに構成される。
【０１９７】
ＣＳＩ測定範囲を制限するステップは、ＲＩ測定範囲を制限するステップ、又は報告されるＰＭＩのアンテナポート量を制限するステップを含む。
【０１９８】
本発明の一実施形態における基地局は、
第２のＣＳＩを取得するように構成された、第２のＣＳＩ取得ユニットであって、ここで、第２のＣＳＩは、第１のチャネル情報に関連付けられ、並びに第１のチャネル情報は、下記の情報、すなわち、第１のチャネルの報告される第１のチャネル状態情報（ＣＳＩ）、基地局によって構成される第１のチャネルの第１のチャネル状態情報（ＣＳＩ）、及び第１のチャネルを測定するために使用される第１の測定構成情報のうちの１つ又は複数を含む、第２のＣＳＩ取得ユニットを備える。
【０１９９】
第２のＣＳＩが、第１のチャネル情報に関連付けられていることは、第２のＣＳＩにおける第２のＲＩが、第１のＣＳＩにおける第１のＲＩに関連付けられていることを含む。
【０２００】
第２のＣＳＩにおける第２のＲＩが、第１のＣＳＩにおける第１のＲＩに関連付けられていることは、第２のＲＩ≦第１のＲＩ、若しくは第２のＲＩ＜第１のＲＩ、であることを含む。
【０２０１】
基地局は、第３のＣＳＩを取得するように構成された、第３のＣＳＩ取得ユニットであって、ここで、第３のＣＳＩは、第１のＣＳＩ及び第２のＣＳＩのうちの少なくとも１つに関連付けられている、第３のＣＳＩ取得ユニットをさらに備える。
【０２０２】
第３のＣＳＩが、第１のＣＳＩ及び第２のＣＳＩのうちの少なくとも１つに関連付けられていることは、
第３のＣＳＩにおける第３のＲＩが、第１のＣＳＩにおける第１のＲＩ及び第２のＣＳＩにおける第２のＲＩのうちの少なくとも１つに関連付けられていること、又は
第３のＣＳＩにおける第３のＲＩが、第１のＣＳＩにおける第１のＲＩ及び第２のチャネル情報における構成済みＲＩのうちの少なくとも１つに関連付けられていることを含む。
【０２０３】
第２のＣＳＩにおける第２のＲＩの測定範囲を決定する方式は、基地局の上位層シグナリング又は動的シグナリングを使用することによって通知される。
【０２０４】
第３のＣＳＩにおける第３のＲＩの測定範囲を決定する方式は、基地局の上位層シグナリング又は動的シグナリングを使用することによって通知される。
【０２０５】
第３のＲＩの範囲は、
第３のＲＩ≦第１のＲＩ、若しくは第３のＲＩ＜第１のＲＩ、又は
第１のＲＩと第２のＲＩの商を丸めることによって得られる値≦第３のＲＩ≦第１のＲＩ、若しくは第１のＲＩと第２のＲＩの商を丸めることによって得られる値＜第３のＲＩ≦第１のＲＩ、若しくは第１のＲＩと第２のＲＩの商を丸めることによって得られる値≦第３のＲＩ＜第１のＲＩ、若しくは第１のＲＩと第２のＲＩの商を丸めることによって得られる値＜第３のＲＩ＜第１のＲＩ、ここで、丸めることは切り上げ若しくは切り捨てである、又は
第１のＲＩと第２のチャネル情報における構成済みＲＩの商を丸めることによって得られる値≦第３のＲＩ≦第１のＲＩ、若しくは第１のＲＩと第２のチャネル情報における構成済みＲＩの商を丸めることによって得られる値＜第３のＲＩ≦第１のＲＩ、若しくは第１のＲＩと第２のチャネル情報における構成済みＲＩの商を丸めることによって得られる値≦第３のＲＩ＜第１のＲＩ、若しくは第１のＲＩと第２のチャネル情報における構成済みＲＩの商を丸めることによって得られる値＜第３のＲＩ＜第１のＲＩ、ここで、丸めることは切り上げ若しくは切り捨てである、又は
第３のＲＩ≦第１のＲＩと第２のＲＩの商を丸めることによって得られる値、若しくは第３のＲＩ＜第１のＲＩと第２のＲＩの商を丸めることによって得られる値、ここで、丸めることは切り上げ若しくは切り捨てである、又は
第３のＲＩ≦第１のＲＩと構成済みＲＩの商を丸めることによって得られる値、若しくは第３のＲＩ＜第１のＲＩと構成済みＲＩの商を丸めることによって得られる値、ここで、丸めることは切り上げ若しくは切り捨てである、又は
第３のＲＩ＝第１のＲＩと第２のＲＩの商を丸めることによって得られる値、ここで、丸めることは切り上げ若しくは切り捨てである、又は
第３のＲＩ＝第１のＲＩと第２のチャネル情報における構成済みＲＩの商を丸めることによって得られる値、ここで、丸めることは切り上げ若しくは切り捨てであってよい、を含む。
【０２０６】
第３のＣＳＩ取得ユニットによって取得される第３のＣＳＩは、第３のＰＭＩ及び／又は第４のＰＭＩを含み、ここで、
第３のＰＭＩのポート量は、第３の測定構成情報におけるパイロットのポート量であり、及び第３のＰＭＩのＲＩは、第３のＲＩであるか、又は
第４のＰＭＩのポート量は、第１の測定構成情報におけるパイロットのポート量であり、及び第４のＰＭＩのＲＩは、第１のＲＩであるか、又は
第４のＰＭＩのポート量は、第１の測定構成情報におけるパイロットのポート量であり、及び第４のＰＭＩのＲＩは、第２のＲＩであるか、又は
第４のＰＭＩのポート量は、第１の測定構成情報におけるパイロットのポート量であり、及び第４のＰＭＩのＲＩは、第３のＲＩであるか、又は
第４のＰＭＩのポート量は、第２の測定構成情報におけるパイロットのポート量と第３の測定構成情報におけるパイロットのポート量との積であり、及び第４のＰＭＩのＲＩは、第２のＲＩと第３のＲＩとの積であるか、若しくはｍｉｎ（第１のＲＩ、第２のＲＩと第３のＲＩとの積）であるか、又は
第４のＰＭＩのポート量は、第１の測定構成情報におけるパイロットのポート量であり、及び第４のＰＭＩのＲＩは、第２のＲＩと第３のＲＩとの積であるか、若しくはｍｉｎ（第１のＲＩ、第２のＲＩと第３のＲＩとの積）であり、ここで、ｍｉｎは、最小値を求める演算である。
【０２０７】
第４のＰＭＩに対応するプリコーディング行列は、第２のＰＭＩに対応するプリコーディング行列と第３のＰＭＩに対応するプリコーディング行列とのクロネッカー積であるか、又は
第４のＰＭＩに対応するプリコーディング行列は、第２のＰＭＩに対応するプリコーディング行列と第３のＰＭＩに対応するプリコーディング行列とのクロネッカー積に対して列選択を実行することによって得られる行列である。
【０２０８】
第２のＰＭＩは、第２のＣＳＩにおける、ポート量が第２の測定構成情報におけるパイロットのポート量である、ＰＭＩであり、及び第３のＰＭＩは、第３のＣＳＩにおける、ポート量が第３の測定構成情報におけるパイロットのポート量である、ＰＭＩである。
【０２０９】
第４のＰＭＩに対応するプリコーディング行列は、
第２のＰＭＩに対応するプリコーディング行列と第３のＰＭＩに対応するプリコーディング行列とのクロネッカー積内のＸ個の列、又は
第３のＰＭＩに対応するプリコーディング行列と第２のＰＭＩに対応するプリコーディング行列とのクロネッカー積内のＸ個の列である。
【０２１０】
第３のＣＳＩは、
第３のＰＭＩに従って決定される第３のＣＱＩ、又は
第４のＰＭＩに従って決定される第４のＣＱＩをさらに含む。
【０２１１】
第１のＣＳＩは、
第１のＰＭＩであって、ここで、第１のＰＭＩに対応するプリコーディング行列Ｗ（１）がデュアルコードブック構造である、すなわち、Ｗ（１）＝Ｗ１（１）×Ｗ２（１）であるときに、第１のサブＰＭＩに対応するプリコーディング行列がＷ１（１）である、第１のＰＭＩ、又は
第２のＰＭＩであって、ここで、第２のＰＭＩは第２のＣＳＩ−ＲＳ  ｐａｔｔｅｒｎに対応するポートに従って報告されるＷ（２）に対応するプリコーディングインジケータ情報であり、基地局は、第１のＣＳＩ−ＲＳ  ｐａｔｔｅｒｎにおいて、第２のＣＳＩ−ＲＳ  ｐａｔｔｅｒｎに対応するポートの配置を指示し、及び基地局によって受信される第２のサブＰＭＩは、第２のＣＳＩ−ＲＳ  ｐａｔｔｅｒｎに対応するポートに従って報告されるロングタームワイドバンドのＷ１（２）に対応するプリコーディングインジケータ情報であり、ここで、Ｗ（２）＝Ｗ１（２）×Ｗ２（２）である、第２のＰＭＩ、並びに
第３のサブＰＭＩであって、ここで、基地局は、第１のＣＳＩ−ＲＳ  ｐａｔｔｅｒｎにおいて、第３のＣＳＩ−ＲＳ  ｐａｔｔｅｒｎに対応するポートの配置を指示し、及び基地局によって受信される第３のサブＰＭＩは、第３のＣＳＩ−ＲＳ  ｐａｔｔｅｒｎに対応するポートに従って報告されるロングタームワイドバンドのＷ１（３）に対応するプリコーディングインジケータ情報であり、ここで、Ｗ（３）＝Ｗ１（３）×Ｗ２（３）である、第３のサブＰＭＩ、を含み、並びに
第１のＣＳＩは、
第２のＰＭＩに対応するプリコーディング行列Ｗ（２）がデュアルコードブック構造である、すなわち、Ｗ（２）＝Ｗ１（２）×Ｗ２（２）であり、及び第３のＰＭＩに対応するプリコーディング行列Ｗ（３）がデュアルコードブック構造である、すなわち、Ｗ（３）＝Ｗ１（３）×Ｗ２（３）であるときに、Ｗ１（２）に対応する第２のＰＭＩ、Ｗ１（３）に対応する第３のＰＭＩ、及び第１のＲＩを含む。
【０２１２】
第１のＣＳＩにおける第１のＣＱＩは、
送信ダイバーシティ方式に基づき決定される第１のＣＱＩ、又は
開ループ空間多重化方式に基づき決定される第１のＣＱＩ、又は
第１のＰＭＩに基づき決定される第１のＣＱＩ、又は
固定されたＲＩを有する第１のＰＭＩに基づき決定される第１のＣＱＩ、又は
第１のＰＭＩに従って決定される第１のＣＱＩ、又は
第１のサブＰＭＩに従って決定される第１のＣＱＩ、又は
第２のＰＭＩに従って決定される第２のＣＱＩ、又は
第２のサブＰＭＩに従って決定される第２のＣＱＩ、又は
第３のＰＭＩに従って決定される第３のＣＱＩ、又は
第３のサブＰＭＩに従って決定され第３のＣＱＩを含む。
【０２１３】
第１のＣＳＩは、
第１のＲＩ、又は
第１のＲＩ及び第１のＣＱＩ、又は
第１のＲＩ及び第１のＰＭＩ、又は
第１のＲＩ、第１のＰＭＩ、及び第１のＣＱＩ、又は
第１のＲＩ及び第１のサブＰＭＩ、又は
第１のＲＩ、第１のサブＰＭＩ、及び第１のＣＱＩ、又は
第１のＲＩ及び第２のＰＭＩ、又は
第１のＲＩ、第２のＰＭＩ、及び第２のＣＱＩ、又は
第１のＲＩ及び第３のＰＭＩ、又は
第１のＲＩ、第３のＰＭＩ、及び第３のＣＱＩ、又は
第１のＲＩ及び第２のサブＰＭＩ、又は
第１のＲＩ、第２のサブＰＭＩ、及び第２のＣＱＩ、又は
第１のＲＩ及び第３のサブＰＭＩ、又は
第１のＲＩ、第３のサブＰＭＩ、及び第３のＣＱＩを含む。
【０２１４】
第３のＣＳＩは、
第３のＲＩ、第３のＰＭＩ、及び第３のＣＱＩ、又は
第３のＲＩ、第３のＰＭＩ、及び第３のＣＱＩと第１のＣＱＩとの差、又は
第３のＲＩ、第３のＰＭＩ、及び第３のＣＱＩと第２のＣＱＩとの差、若しくは第３のＲＩ、第３のＰＭＩ、第３のＣＱＩ、及び第４のＣＱＩ、又は
第３のＲＩ、第３のＰＭＩ、第３のＣＱＩ、及び第４のＣＱＩと第１のＣＱＩとの差、又は
第３のＲＩ、第３のＰＭＩ、第３のＣＱＩ、及び第４のＣＱＩと第３のＣＱＩとの差、又は
第３のＲＩ、第３のＰＭＩ、及び第４のＣＱＩ、又は
第３のＲＩ、第３のＰＭＩ、及び第４のＣＱＩと第１のＣＱＩとの差、又は
第３のＲＩ、第３のＰＭＩ、及び第４のＣＱＩと第２のＣＱＩとの差、又は
第３のＲＩ、第３のＰＭＩ、及び第４のＣＱＩと第３のＣＱＩとの差、又は
第３のＲＩ、第３のＰＭＩ、第４のＰＭＩ、第３のＣＱＩ、及び第４のＣＱＩ、又は
第３のＲＩ、第３のＰＭＩ、第４のＰＭＩ、第３のＣＱＩ、及び第４のＣＱＩと第１のＣＱＩとの差、又は
第３のＲＩ、第３のＰＭＩ、第４のＰＭＩ、第３のＣＱＩ、及び第４のＣＱＩと第２のＣＱＩとの差、又は
第３のＲＩ、第３のＰＭＩ、第４のＰＭＩ、第３のＣＱＩ、及び第４のＣＱＩと第３のＣＱＩとの差、又は
第３のＲＩ、第３のＰＭＩ、第４のＰＭＩ、及び第４のＣＱＩ、又は
第３のＲＩ、第３のＰＭＩ、第４のＰＭＩ、及び第４のＣＱＩと第１のＣＱＩとの差、又は
第３のＲＩ、第３のＰＭＩ、第４のＰＭＩ、及び第４のＣＱＩと第２のＣＱＩとの差、又は
第３のＲＩ、第３のＰＭＩ、第４のＰＭＩ、及び第４のＣＱＩと第３のＣＱＩとの差、又は
第３のＰＭＩ及び第３のＣＱＩ、又は
第３のＰＭＩ及び第３のＣＱＩと第１のＣＱＩとの差、又は
第３のＰＭＩ及び第３のＣＱＩと第２のＣＱＩとの差、若しくは第３のＲＩ、第３のＰＭＩ、第３のＣＱＩ、及び第４のＣＱＩ、又は
第３のＰＭＩ、第３のＣＱＩ、及び第４のＣＱＩと第１のＣＱＩとの差、又は
第３のＰＭＩ、第３のＣＱＩ、及び第４のＣＱＩと第３のＣＱＩとの差、又は
第３のＰＭＩ及び第４のＣＱＩ、又は
第３のＰＭＩ及び第４のＣＱＩと第１のＣＱＩとの差、又は
第３のＰＭＩ及び第４のＣＱＩと第２のＣＱＩとの差、又は
第３のＰＭＩ及び第４のＣＱＩと第３のＣＱＩとの差、又は
第３のＰＭＩ、第４のＰＭＩ、第３のＣＱＩ、及び第４のＣＱＩ、又は
第３のＰＭＩ、第４のＰＭＩ、第３のＣＱＩ、及び第４のＣＱＩと第１のＣＱＩとの差、又は
第３のＰＭＩ、第４のＰＭＩ、第３のＣＱＩ、及び第４のＣＱＩと第２のＣＱＩとの差、又は
第３のＰＭＩ、第４のＰＭＩ、第３のＣＱＩ、及び第４のＣＱＩと第３のＣＱＩとの差、又は
第３のＰＭＩ、第４のＰＭＩ、及び第４のＣＱＩ、又は
第３のＰＭＩ、第４のＰＭＩ、及び第４のＣＱＩと第１のＣＱＩとの差、又は
第３のＰＭＩ、第４のＰＭＩ、及び第４のＣＱＩと第２のＣＱＩとの差、又は
第３のＰＭＩ、第４のＰＭＩ、及び第４のＣＱＩと第３のＣＱＩとの差を含む。
【０２１５】
第３のＣＳＩは、
第１のＰＭＩに対応するプリコーディング行列Ｗ（１）がデュアルコードブック構造である、すなわち、Ｗ（１）＝Ｗ１（１）×Ｗ２（１）であるときに、Ｗ２（１）に対応する第４のＰＭＩ、又は
第３のＰＭＩに対応するプリコーディング行列Ｗ（３）がデュアルコードブック構造である、すなわち、Ｗ（３）＝Ｗ１（３）×Ｗ２（３）であるときに、Ｗ２（３）に対応する第３のＰＭＩ、又は
第２のＰＭＩに対応するプリコーディング行列Ｗ（２）がデュアルコードブック構造である、すなわち、Ｗ（２）＝Ｗ１（２）×Ｗ２（２）であり、及び第３のＰＭＩに対応するプリコーディング行列Ｗ（３）がデュアルコードブック構造である、すなわち、Ｗ（３）＝Ｗ１（３）×Ｗ２（３）であるときに、
Ｗ２（２）とＷ２（３）とのクロネッカー積を作ることによって得られる行列であるか、若しくはＷ２（２）とＷ２（３）とのクロネッカー積を作ることによって得られる行列に対して列選択を実行することによって得られる行列である第４のＰＭＩに対応するプリコーディング行列、又は
第２のＰＭＩに対応するプリコーディング行列Ｗ（２）がデュアルコードブック構造である、すなわち、Ｗ（２）＝Ｗ１（２）×Ｗ２（２）であり、及び
第３のＰＭＩに対応するプリコーディング行列Ｗ（３）がデュアルコードブック構造である、すなわち、Ｗ（３）＝Ｗ１（３）×Ｗ２（３）であるときに、
Ｗ１（２）とＷ１（３）とのクロネッカー積を作ることによって得られる行列であるか、若しくはＷ１（２）とＷ１（３）とのクロネッカー積を作ることによって得られる行列に対して列選択を実行することによって得られる行列である第４のＰＭＩに対応するプリコーディング行列をさらに含む。
【０２１６】
各ＣＳＩは、下記の情報、すなわち、ランク指示（ＲＩ）、プリコーディング行列インジケータ（ＰＭＩ）、プリコーディングタイプインジケータ（ＰＴＩ）、チャネル品質インジケータ（ＣＱＩ）、干渉指示、及び制限ＣＳＩ測定範囲の切り替えフラグのうちの１つ又は複数を含む。
【０２１７】
基地局によって構成される各測定構成情報は、下記の情報、すなわち、チャネル測定基準パイロットのパターン、チャネル測定基準パイロットのポート量、チャネル測定基準パイロットの電力情報、干渉測定基準リソースのパターン、及び干渉測定基準リソースに関する情報のうちの１つ又は複数を含む。
【０２１８】
第１の測定構成情報における第１のチャネル測定基準パイロットのパターン、第２の測定構成情報における第２のチャネル測定基準パイロットのパターン、及び第３の測定構成情報における第３のチャネル測定基準パイロットのパターンは、
第２のチャネル測定基準パイロットのパターンが、第１のチャネル測定基準パイロットのパターンのサブセットであるということと、
第３のチャネル測定基準パイロットのパターンが、第１のチャネル測定基準パイロットのパターンのサブセットであるということとを満たす。
【０２１９】
第１の測定構成情報における第１のチャネル測定基準パイロットのポート、第２の測定構成情報における第２のチャネル測定基準パイロットのポート、及び第３の測定構成情報における第３のチャネル測定基準パイロットのポートは、
第１のチャネル測定基準パイロットのポート量が、第２のチャネル測定基準パイロットのポート量と第３のチャネル測定基準パイロットのポート量との積であるということを満たす。
【０２２０】
第２のチャネル測定基準パイロットのポート量は、第３のチャネル測定基準パイロットのポート量以上である。
【０２２１】
第２のチャネル情報におけるｒａｎｋは、第３のチャネル情報におけるｒａｎｋ以上である。
【０２２２】
第１のチャネル測定基準パイロットの送信周期は、第２のチャネル測定基準パイロットの送信周期の整数倍であり、及び第１のチャネル測定基準パイロットの送信周期は、第３のチャネル測定基準パイロットの送信周期の整数倍である。
【０２２３】
第１のチャネルに関する測定、第２のチャネルに関する測定、及び第３のチャネルに関する測定は、第１のＣＳＩプロセス、第２のＣＳＩプロセス、及び第３のＣＳＩプロセスにそれぞれ対応する。
【０２２４】
第１のＣＳＩプロセスに対して構成されているＲＩ報告周期は、第２のＣＳＩプロセスに対して構成されているＲＩ報告周期の第１の整数倍であり、及び第１のＣＳＩプロセスに対して構成されているＲＩ報告周期は、第３のＣＳＩプロセスに対して構成されているＲＩ報告周期の第１の整数倍であり、
第１のＣＳＩプロセスに対して構成されているＰＭＩ報告周期は、第２のＣＳＩプロセスに対して構成されているＰＭＩ報告周期の第２の整数倍であり、及び第１のＣＳＩプロセスに対して構成されているＰＭＩ報告周期は、第３のＣＳＩプロセスに対して構成されているＰＭＩ報告周期の第２の整数倍であり、並びに
第１のＣＳＩプロセスに対して構成されているＣＱＩ報告周期は、第２のＣＳＩプロセスに対して構成されているＣＱＩ報告周期の第３の整数倍であり、及び第１のＣＳＩプロセスに対して構成されているＣＱＩ報告周期は、第３のＣＳＩプロセスに対して構成されているＣＱＩ報告周期の第３の整数倍である。
【０２２５】
制限ＣＳＩ測定範囲が使用される、バンドルされたＣＳＩプロセスの数は、基地局の上位層シグナリング又は動的シグナリングを使用することによって構成される。
【０２２６】
基地局は、端末によって報告される、制限ＣＳＩ測定範囲が使用される必要があることを指示するＣＳＩ測定フラグを受信する。
【０２２７】
基地局は、制限ＣＳＩ測定範囲が使用されないときに得られるＣＳＩ情報を最初に受信し、次いで、制限ＣＳＩ測定範囲が使用される必要があることを指示する制限測定フラグを受信し、及び、次いで、制限ＣＳＩ測定範囲が使用されるときに得られるＣＳＩ情報を受信する。
【０２２８】
基地局は、第１の制限ＣＳＩ測定範囲が使用されるときに得られるＣＳＩ情報を最初に受信し、次いで、第２の制限ＣＳＩ測定範囲が使用される必要があることを指示する制限測定フラグを受信し、及び、次いで、第２の制限ＣＳＩ測定範囲が使用されるときに得られるＣＳＩ情報を受信する。
【０２２９】
基地局は、制限ＣＳＩ測定範囲が使用されないときに得られるＣＳＩ情報を最初に受信し、次いで、基地局は、上位層シグナリング又は動的シグナリングを使用することによって、制限ＣＳＩ測定範囲が使用される必要があることを指示する制限測定フラグを通知し、及び、次いで、基地局は、ＵＥによって報告される、制限ＣＳＩ測定範囲が使用されるときに得られるＣＳＩ情報を受信する。
【０２３０】
基地局は、第１の制限ＣＳＩ測定範囲が使用されるときに得られるＣＳＩ情報を最初に受信し、次いで、基地局は、上位層シグナリング又は動的シグナリングを使用することによって、第２の制限ＣＳＩ測定範囲が使用される必要があることを指示する制限測定フラグを通知し、及び、次いで、基地局は、ＵＥによって報告される、第２の制限ＣＳＩ測定範囲が使用されるときに得られるＣＳＩ情報を受信する。
【０２３１】
ＣＳＩ測定範囲を制限するステップは、ＲＩ測定範囲を制限するステップ、又は報告されるＰＭＩのアンテナポート量を制限するステップを含む。
【０２３２】
明らかに、当業者であれば、本発明の精神及び範囲から逸脱することなく、本発明に対し様々な修正及び変更を加えることができる。本発明は、添付の請求項及びその同等の技術によって定義された保護の範囲内にある限りそれらの修正及び変更も対象とすることが意図されている。
【図１】
2018113711.tif 000017
【図２】
2018113711.tif 000018
【図３】
2018113711.tif 000019
【図４】
2018113711.tif 000020
【図５】
2018113711.tif 000021
【図６】
2018113711.tif 000022
【図７】
2018113711.tif 000023
【図８】
2018113711.tif 000024
【図９】
2018113711.tif 000025
【図１０】
2018113711.tif 000026
【図１１】
2018113711.tif 000027
【図１２】
2018113711.tif 000028
【図１３】
2018113711.tif 000029
【図１４】
2018113711.tif 000030
【図１５】
2018113711.tif 000031
【図１６】
2018113711.tif 000032
【図１７】
2018113711.tif 000033
【図１８】
2018113711.tif 000034
【図１９】
2018113711.tif 000035
【図２０】
2018113711.tif 000036
【図２１】
2018113711.tif 000037
【図２２】
2018113711.tif 000038
【図２３】
2018113711.tif 000039
【図２４】
2018113711.tif 000040
【図２５】
2018113711.tif 000041
【図２６】
2018113711.tif 000042
【手続補正書】
【提出日】平成30年3月7日(2018.3.7)
【手続補正１】
【補正対象書類名】特許請求の範囲
【補正対象項目名】全文
【補正方法】変更
【補正の内容】
【特許請求の範囲】
【請求項１】
チャネル測定方法であって、
端末によって、第１のチャネルの第１のチャネル状態情報（ＣＳＩ）を取得するステップと、
前記端末によって、第２のチャネルを測定するために使用される測定構成情報を基地局から受信するステップと、
前記端末によって、前記第１のＣＳＩと前記第２のチャネルを測定するために使用される前記測定構成情報とに従って前記第２のチャネルを測定して第２のＣＳＩを取得するステップとを含む、方法。
【請求項２】
前記第２のチャネルを測定して第２のＣＳＩを取得する前記ステップが、
前記第１のＣＳＩに従って、前記第２のチャネルを測定するためのＣＳＩ範囲を決定するステップと、
前記第２のチャネルを測定するために使用される前記測定構成情報に従って、前記第２のチャネルを測定するための前記ＣＳＩ範囲内で前記第２のチャネルを測定するステップとを含む、請求項１に記載の方法。
【請求項３】
前記第２のチャネルを測定するための前記ＣＳＩ範囲を決定する前記ステップが、
前記第１のＣＳＩにおける第１のＲＩに従って前記第２のＣＳＩにおける第２のＲＩの範囲を決定するステップを含む、請求項２に記載の方法。
【請求項４】
前記第２のＲＩの前記範囲≦前記第１のＲＩ、又は
前記第２のＲＩの前記範囲＜前記第１のＲＩである、請求項３に記載の方法。
【請求項５】
前記端末によって、前記第１のチャネルを測定するために使用される測定構成情報を受信するステップを更に含み、
前記第１のチャネルの前記第１のＣＳＩを取得する前記ステップが、前記第１のチャネルを測定するために使用される前記測定構成情報に従って前記第１のチャネルを測定して前記第１のチャネルの前記第１のＣＳＩを取得するステップを含む、請求項１から請求項４のいずれか一項に記載の方法。
【請求項６】
前記第１のチャネルが全体的なアンテナに対応するとともに、前記第１のＣＳＩが前記全体的なアンテナのチャネル状態を反映し、
前記第２のチャネルが部分的なアンテナに対応するとともに、前記第２のＣＳＩが前記部分的なアンテナのチャネル状態を反映する、請求項１から請求項５のいずれか一項に記載の方法。
【請求項７】
前記端末によって、第３のチャネルを測定するために使用される測定構成情報を受信するステップと、
前記端末によって、前記第１のＣＳＩ及び第２のＣＳＩのうちの少なくとも１つに従って、及び前記第３のチャネルを測定するために使用される前記測定構成情報に従って、前記第３のチャネルを測定して第３のＣＳＩを取得するステップと更に含む、請求項１から請求項６のいずれか一項に記載の方法。
【請求項８】
前記端末によって、制限ＣＳＩ測定範囲を使用するかどうかを指示するＣＳＩ測定フラグを報告するステップを更に含む、請求項１から請求項７のいずれか一項に記載の方法。
【請求項９】
端末に適用されるデバイスであって、
第１のチャネルの第１のチャネル状態情報（ＣＳＩ）を取得するための手段と、
第２のチャネルを測定するために使用される測定構成情報を基地局から受信するための手段と、
前記第１のＣＳＩと前記第２のチャネルを測定するために使用される前記測定構成情報とに従って前記第２のチャネルを測定して第２のＣＳＩを取得するための手段とを備える、デバイス。
【請求項１０】
前記第２のチャネルを測定して第２のＣＳＩを前記取得することが、
前記第１のＣＳＩに従って、前記第２のチャネルを測定するためのＣＳＩ範囲を決定することと、
前記第２のチャネルを測定するために使用される前記測定構成情報に従って、前記第２のチャネルを測定するための前記ＣＳＩ範囲内で前記第２のチャネルを測定することとを含む、請求項９に記載のデバイス。
【請求項１１】
前記第２のチャネルを測定するための前記ＣＳＩ範囲を前記決定することが、
前記第１のＣＳＩにおける第１のＲＩに従って前記第２のＣＳＩにおける第２のＲＩの範囲を決定することを含む、請求項１０に記載のデバイス。
【請求項１２】
前記第２のＲＩの前記範囲≦前記第１のＲＩ、又は
前記第２のＲＩの前記範囲＜前記第１のＲＩである、請求項１１に記載のデバイス。
【請求項１３】
前記第１のチャネルを測定するために使用される測定構成情報を受信するための手段を更に備え、
前記第１のチャネルの前記第１のＣＳＩを前記取得することが、前記第１のチャネルを測定するために使用される前記測定構成情報に従って前記第１のチャネルを測定して前記第１のチャネルの前記第１のＣＳＩを取得することを含む、請求項９から請求項１２のいずれか一項に記載のデバイス。
【請求項１４】
前記第１のチャネルが全体的なアンテナに対応するとともに、前記第１のＣＳＩが前記全体的なアンテナのチャネル状態を反映し、
前記第２のチャネルが部分的なアンテナに対応するとともに、前記第２のＣＳＩが前記部分的なアンテナのチャネル状態を反映する、請求項９から請求項１３のいずれか一項に記載のデバイス。
【請求項１５】
第３のチャネルを測定するために使用される測定構成情報を受信するための手段と、
前記第１のＣＳＩ及び第２のＣＳＩのうちの少なくとも１つに従って、及び前記第３のチャネルを測定するために使用される前記測定構成情報に従って、前記第３のチャネルを測定して第３のＣＳＩを取得するための手段とを更に備える、請求項９から請求項１４のいずれか一項に記載のデバイス。
【請求項１６】
制限ＣＳＩ測定範囲を使用するかどうかを指示するＣＳＩ測定フラグを報告するための手段を更に備える、請求項９から請求項１５のいずれか一項に記載のデバイス。
【請求項１７】
請求項９から請求項１６のいずれか一項に記載のデバイスを備える、端末。
【請求項１８】
チャネル測定方法であって、
基地局によって、第２のチャネルを測定するために使用される測定構成情報を送信するステップと、
前記基地局によって、前記第２のチャネルを測定するために使用される前記測定構成情報に従って端末により報告された前記第２のチャネルの第２のチャネル状態情報（ＣＳＩ）を受信するステップであって、前記第２のＣＳＩが第１のチャネルの第１のＣＳＩに関連付けられている、ステップとを含む、方法。
【請求項１９】
前記第２のＣＳＩが前記第１のＣＳＩに関連付けられていることは、前記第２のＣＳＩにおける第２のＲＩが、前記第１のＣＳＩにおける第１のＲＩに関連付けられていることを含む、請求項１８に記載の方法。
【請求項２０】
前記第２のＣＳＩにおける第２のＲＩが前記第１のＣＳＩにおける第１のＲＩに関連付けられていることは、前記第２のＲＩ≦前記第１のＲＩ、又は前記第２のＲＩ＜前記第１のＲＩ、であることを含む、請求項１９に記載の方法。
【請求項２１】
前記基地局によって、前記第１のチャネルを測定するために使用される測定構成情報を送信するステップであって、前記第１のチャネルの前記第１のＣＳＩが、前記第１のチャネルを測定するために使用される前記測定構成情報に従って前記第１のチャネルを測定することにより取得される、ステップを更に含む、請求項１８から請求項２０のいずれか一項に記載の方法。
【請求項２２】
前記第１のチャネルが全体的なアンテナに対応するとともに、前記第１のＣＳＩが前記全体的なアンテナのチャネル状態を反映し、
前記第２のチャネルが部分的なアンテナに対応するとともに、前記第２のＣＳＩが前記部分的なアンテナのチャネル状態を反映する、請求項１８から請求項２１のいずれか一項に記載の方法。
【請求項２３】
基地局であって、
第２のチャネルを測定するために使用される測定構成情報を送信するための手段と、
前記第２のチャネルを測定するために使用される前記測定構成情報に従って端末により報告された前記第２のチャネルの第２のチャネル状態情報（ＣＳＩ）を受信するための手段であって、前記第２のＣＳＩが第１のチャネルの第１のＣＳＩに関連付けられている、手段とを備える、基地局。
【請求項２４】
前記第２のＣＳＩが前記第１のＣＳＩに関連付けられていることは、前記第２のＣＳＩにおける第２のＲＩが、前記第１のＣＳＩにおける第１のＲＩに関連付けられていることを含む、請求項２３に記載の基地局。
【請求項２５】
前記第２のＣＳＩにおける第２のＲＩが前記第１のＣＳＩにおける第１のＲＩに関連付けられていることは、前記第２のＲＩ≦前記第１のＲＩ、又は前記第２のＲＩ＜前記第１のＲＩ、であることを含む、請求項２４に記載の基地局。
【請求項２６】
前記第１のチャネルを測定するために使用される測定構成情報を送信するための手段であって、前記第１のチャネルの前記第１のＣＳＩが、前記第１のチャネルを測定するために使用される前記測定構成情報に従って前記第１のチャネルを測定することにより取得される、手段を更に備える、請求項２３から請求項２５のいずれか一項に記載の基地局。
【請求項２７】
前記第１のチャネルが全体的なアンテナに対応するとともに、前記第１のＣＳＩが前記全体的なアンテナのチャネル状態を反映し、
前記第２のチャネルが部分的なアンテナに対応するとともに、前記第２のＣＳＩが前記部分的なアンテナのチャネル状態を反映する、請求項２３から請求項２６のいずれか一項に記載の基地局。
【請求項２８】
請求項１から請求項８のいずれか一項に記載の方法、又は請求項１８から請求項２２のいずれか一項に記載の方法を実行するように構成された、プログラム。
【請求項２９】
請求項２８に記載のプログラムを含む、コンピュータ読み取り可能な記憶媒体。
【手続補正２】
【補正対象書類名】明細書
【補正対象項目名】０１５３
【補正方法】変更
【補正の内容】
【０１５３】
第１のチャネル測定基準パイロットの送信周期は、第２のチャネル測定基準パイロットの送信周期の整数倍であり、及び第１のチャネル測定基準パイロットの送信周期は、第３のチャネル測定基準パイロットの送信周期の整数倍である。
【手続補正３】
【補正対象書類名】明細書
【補正対象項目名】０１８７
【補正方法】変更
【補正の内容】
【０１８７】
この実施形態では、第１のチャネル測定基準パイロットの送信周期は、第２のチャネル測定基準パイロットの送信周期の整数倍であり、及び第１のチャネル測定基準パイロットの送信周期は、第３のチャネル測定基準パイロットの送信周期の整数倍である。
【外国語明細書】
2018113711000001.pdf